(57)【特許請求の範囲】
【請求項１】
遊技盤の裏面側に配置された所定の遊技を制御する主制御基板と、
前記遊技盤の裏面側に配置された取付台座と、
前記取付台座に取り付けられた中継基板と、
前記中継基板を介して前記主制御基板と電気的に接続される複数の電気部品と、
を備える遊技機であって、
前記取付台座において前記中継基板の長手方向一端側に設けられ、前記中継基板と係合する第１の係合部と、
前記取付台座において前記中継基板の長手方向他端側に設けられた第２の係合部と、
前記中継基板を挟んで前記第２の係合部とは反対側に配置された押さえ部材と、
前記取付台座に前記中継基板と前記押さえ部材とを連結し、解除痕跡を残さない前記中継基板の取り外しを不能にする封止部材と、
を備え、
前記中継基板は、貫通孔を有しており、
前記封止部材は、前記貫通孔に挿通されており、前記第２の係合部及び前記押さえ部材に係合して前記第２の係合部と前記押さえ部材とで前記中継基板を挟み込み、
前記封止部材による前記取付台座と前記押さえ部材との連結状態において、前記押さえ部材の回動を抑制する手段を備える、
ことを特徴とする遊技機。
【発明の詳細な説明】
【技術分野】
【０００１】
本発明は、パチンコ機やスロットマシンに代表される遊技機に関するものである。
【背景技術】
【０００２】
一般的な遊技機では、遊技を総括制御する主制御基板と、複数の各種電気部品（制御基板や駆動装置、センサ、ＬＥＤ等）とを、中継基板を介して接続している。
この中継基板には、複数種類の配線が集約されている。また、中継基板は、主制御基板のようにケース内に収容されることなく、コネクタ搭載面が露出状態で着脱が可能なようにネジ止め又は爪により係止されていることが多い。
上記の従来技術としては、次の文献が挙げられる。
【先行技術文献】
【特許文献】
【０００３】
【特許文献１】登録実用新案第３０５８７６５号
【発明の概要】
【発明が解決しようとする課題】
【０００４】
遊技機に対する不正として、特に問題となるものの一つは、不正基板を使用されることである。即ち、不正基板は、専ら制御系に入りこんで不正を働くものであるが故に重大な問題を招くことになる。
近年、不正基板（例えば、擬似主基板）が小型化される傾向にあり、この小型化が進めば、一層不正行為の早期発見が困難となるという問題がった。
このような不正基板（例えば、擬似主基板）の敷設により、図４０に示す如き配線が可能となり、その不正基板（例えば、擬似主基板）によって、例えば、恰も主基板が機能しているかの如き作用を得ながら、主基板に取って変わることができて、不正に払い出しを行う等、致命的な不正が行われることになる。図示において、配線の×印は、擬似主基板を敷設した時に既存の配線を断線させることを示す。
【０００５】
本発明は、かかる問題点に鑑みて案出されたものであり、中継基板が簡単に取り外されて不正が行われるのを未然に回避できるようにし、万一、不正が加えられた場合には容易に認知できるようにすることを目的とする。
【課題を解決するための手段】
【０００６】
上記の課題を解決するために、本発明に係る遊技機は、
遊技盤の裏面側に配置された所定の遊技を制御する主制御基板と、
前記遊技盤の裏面側に配置された取付台座と、
前記取付台座に取り付けられた中継基板と、
前記中継基板を介して前記主制御基板と電気的に接続される複数の電気部品と、
を備える遊技機であって、
前記取付台座において前記中継基板の長手方向一端側に設けられ、前記中継基板と係合する第１の係合部と、
前記取付台座において前記中継基板の長手方向他端側に設けられた第２の係合部と、
前記中継基板を挟んで前記第２の係合部とは反対側に配置された押さえ部材と、
前記取付台座に前記中継基板と前記押さえ部材とを連結し、解除痕跡を残さない前記中継基板の取り外しを不能にする封止部材と、
を備え、
前記中継基板は、貫通孔を有しており、
前記封止部材は、前記貫通孔に挿通されており、前記第２の係合部及び前記押さえ部材に係合して前記第２の係合部と前記押さえ部材とで前記中継基板を挟み込み、
前記封止部材による前記取付台座と前記押さえ部材との連結状態において、前記押さえ部材の回動を抑制する手段を備える、
ことを特徴としている。
【発明の効果】
【０００７】
本発明によれば、中継基板が簡単に取り外されて不正が行われるのを未然に回避でき、万一、不正が加えられた場合には容易に認知できる。
【図面の簡単な説明】
【０００８】
【図１】本発明にかかる遊技機の一例であるパチンコ機の正面図である。
【図２】本発明にかかる遊技機の一例であるパチンコ機の右側面図である。
【図３】本発明にかかる遊技機の一例であるパチンコ機の平面図である。
【図４】本発明にかかる遊技機の一例であるパチンコ機の外枠に対して内枠、前面枠、セット板を夫々開いた状態を示す斜視図である。
【図５】本発明にかかる遊技機の一例であるパチンコ機の遊技盤の正面図である。
【図６】本発明にかかる遊技機の一例であるパチンコ機の背面図である。
【図７】本発明にかかる遊技機の一例であるパチンコ機のセット板を開いた背面の斜視図である。
【図８】本発明にかかる遊技機の一例であるパチンコ機の遊技盤の裏面の斜視図である。
【図９】本発明にかかる遊技機の一例であるパチンコ機の遊技盤の裏面の第１基板ケースを連結取付台座部材から外した状態の斜視図である。
【図１０】本発明にかかる遊技機の一例であるパチンコ機の遊技盤の裏面の第１基板ケースを連結取付台座部材ごと外した状態の右側面図である。
【図１１】本発明にかかる遊技機の一例であるパチンコ機の遊技盤の裏面の第１基板ケースを連結取付台座部材から外し、連結取付台座部材を開放した状態の斜視図である。
【図１２】本発明にかかる遊技機の一例であるパチンコ機の遊技盤の裏面の第１基板ケースおよび連結取付台座部材をそれぞれ外した状態の斜視図である。
【図１３】本発明にかかる遊技機の一例であるパチンコ機の遊技盤の裏面の第１基板ケースを開放した状態の斜視図である。
【図１４】本発明にかかる遊技機の一例であるパチンコ機の遊技盤の裏面の第１基板ケースを外し、カバー部材を開放した状態の斜視図である。
【図１５】破断ネジの一例を示す正面図である。
【図１６】本発明にかかる遊技機の一例であるパチンコ機の遊技盤の裏面の第１基板ケース、連結取付台座部材、カバー部材および球集合板を外して分解した状態の斜視図である。
【図１７】本発明にかかる遊技機の一例であるパチンコ機の遊技盤の裏面の第１基板ケースおよび連結取付台座部材を外して分解した状態の斜視図である。
【図１８】本発明にかかる遊技機の一例であるパチンコ機の第１基板ケースから連結取付台座部材を外した状態の分解斜視図である。
【図１９】本発明にかかる遊技機の一例であるパチンコ機の第１基板ケースに連結台座部材を取り付けた状態の斜視図である。
【図２０】本発明にかかる遊技機の一例であるパチンコ機の遊技盤から球集合板、開閉機構、連結取付台座部材を取り付けた第１基板ケースを分離した状態の分解斜視図である。
【図２１】カバー部材の封止構造を示す拡大図である。
【図２２】本発明にかかる遊技機の一例であるパチンコ機の遊技盤の裏面の第１基板ケースを連結取付台座部材ごと外し、さらにカバー部材ごと球集合板を外した状態の斜視図である。
【図２３】本発明にかかる遊技機の一例であるパチンコ機の遊技盤の裏面の第１基板ケースおよびカバー部材を取り付けた球集合板を外した状態の斜視図である。
【図２４】本発明にかかる遊技機の一例であるパチンコ機の遊技盤の裏面の斜視図である。
【図２５】本発明にかかる遊技機の一例であるパチンコ機の遊技盤の裏面に、別の実施態様にかかるカバー部材を設け、第１基板ケースおよび連結取付台座部材をそれぞれ外し、カバー部材を開放した状態の斜視図である。
【図２６】本発明にかかる遊技機の一例であるパチンコ機の中継基板と取付台座の分解斜視図である。
【図２７】本発明にかかる遊技機の一例であるパチンコ機の中継基板を設けた取付台座の全体の斜視図である。
【図２８】本発明にかかる遊技機の一例であるパチンコ機の中継基板を設けた取付台座の全体の平面図である。
【図２９】本発明にかかる遊技機の一例であるパチンコ機の中継基板を設けた取付台座の全体の正面図である。
【図３０】本発明にかかる遊技機の一例であるパチンコ機の中継基板を設けた取付台座の全体の背面図である。
【図３１】本発明にかかる遊技機の一例であるパチンコ機の中継基板を設けた取付台座の全体の底面図である。
【図３２】本発明にかかる遊技機の一例であるパチンコ機の別態様の中継基板を設けた取付台座の全体の分解斜視である。
【図３３】本発明にかかる遊技機の一例であるパチンコ機の中継基板を設けた取付台座の全体の斜視図である。
【図３４】本発明にかかる遊技機の一例であるパチンコ機の中継基板を設けた取付台座の全体の平面図である。
【図３５】本発明にかかる遊技機の一例であるパチンコ機の中継基板を設けた取付台座の正面図である。
【図３６】本発明にかかる遊技機の一例であるパチンコ機の中継基板を設けた取付台座の背面図である。
【図３７】本発明にかかる遊技機の一例であるパチンコ機の取付台座を設けた取付台座の底面図である。
【図３８】本発明にかかる遊技機の一例であるパチンコ機の取付台座を設けた取付台座の一側面図である。
【図３９】本発明にかかる遊技機の一例であるパチンコ機の中継基板を封止する封止部材の一態様を示す工程図である。
【図４０】従来技術の遊技機の制御系の機能ブロック図である。
【発明を実施するための形態】
【０００９】
本発明の理解に際して次の術語を明らかにしておく。
本発明において、中継基板とは、主制御基板と複数の電気部品とが電気的に接続されている場合にこれらの電気的接続を中継する基板のことであり、このような基板であれば、当該基板へのアクセスを抑制するケース体により収容される基板であっても、又は電気的接続の中継以外の用途（演算・記憶など）に兼用される基板であってもよい。またこの場合、主制御基板と中継基板との電気的接続とは、基板間に他の制御基板を介した接続状態を含むものである。但し、次に挙げる中継基板は、不正がし易い箇所又は不正に気づかれにくい箇所に配置されているものであるため、特に本発明のような不正対策が必要となる。（１）主制御基板の前面側に配置されることにより裏面視で主制御基板により遮蔽されているもの、（２）主制御基板に接続される配線が通る箇所に配置されているもの、（３）主制御基板と遊技領域に配設される所定の入賞装置（入賞口又は入賞ゲートを有するもの）との間に配置されているもの、又はそれら（主制御基板と入賞検出用スイッチ）を接続する配線が通る箇所に配置されているもの、（４）主制御基板とエラー報知を制御する制御基板との間に配置されているもの、又はそれらを接続する配線が通る箇所に配置されているもの、（５）主制御基板とエラー報知を行う所定の電気部品との間に配置されているもの、又はそれらを接続する配線が通る箇所に配置されているもの、（６）主制御基板と遊技球の払出しを制御する制御基板との間に配置されているもの、又はそれらを接続する配線が通る箇所に配置されているもの。
そして、この中継基板を介して主制御基板と接続される電気部品の一例としては、エラー状態の表示を制御する表示制御基板、エラー状態を示す情報を表示する表示部を有する表示装置、通常・時短・確変状態などの状態報知を制御するランプ制御基板、状態報知ランプ（通常・時短・確変状態、又は特別図柄・普通図柄の報知ランプ、特別図柄保留ランプ、普通図柄保留ランプ）、エラー報知音の出力を制御する音声制御基板、エラー報知音を出力するスピーカ、払出制御基板、払出モータによりは払い出された遊技球を検出するスイッチ、入賞装置（始動入賞装置・可変入賞装置を含む）、入賞口（始動口・大入賞口を含む）に入球口した遊技球を検出するスイッチ、入賞口を開閉する羽根や扉を駆動する駆動装置等が挙げられる。この中で、「払出モータ、及び払出モータにより払い出された遊技球を検出するスイッチ」については、賞球払出時において遊技球が払い出されたにもかかわらず払い出されていないように見せかけたり、払出モータを不正に作動させつつ払い出されていないように見せかけたりすることによって多くの遊技球を獲得するといった不正行為がされる場合に標的となる可能性が高く、「始動口に入球した遊技球を検出するスイッチ」については、検出タイミングを操作することによって抽選結果が当り結果となるようにして特別遊技状態を強制発生させて多くの遊技球を獲得するといった不正行為がされる場合に標的となる可能性が高く、「大入賞口に入球した遊技球を検出するスイッチ」については、所定個数の入球が終了契機とされている特別遊技状態中に、入球を検出したにもかかわらず検出していないことにして特別遊技状態の終了を遅らせ、特別遊技状態中に通常より多くの遊技球を獲得するといった不正行為がされる場合に標的となる可能性が高く、「始動口を開閉させる羽根を駆動する駆動装置」については、羽根を開放する契機となっていないにもかかわらず強制的に羽根を開放させ、始動口へ多くの入球をさせることにより抽選を多く行わせて特別遊技状態を導出させ易くするといった不正行為がされる場合に標的となる可能性が高く、「大入賞口を開閉させる扉を駆動する駆動装置」については、特別遊技状態中でないにもかかわらず強制的に扉を開放させ、大入賞口へ多くの入球をさせることにより多くの遊技球を獲得するといった不正行為がされる場合に標的となる可能性が高く、これらの電気部品と接続された中継基板に対して不正対策を施すことには特別な効果がある。
【００１０】
又、係合部とは、中継基板の長手方向一端側が係合（掛合、嵌合又は挿入を含む）される部位であり、係合状態で封止部を封止状態とした場合には係合部と中継基板一端側との係合状態が解除できなくなるように規制するとともに、封止部が中継基板を封止した状態となっていない場合には、工具などを用いなくとも係合状態を容易に解除することができる形状を有するものである。
【００１１】
又、本発明において、「封止する」とは、封止部材を封止部に挿入若しくは取り付けることにより、遊技機の所定箇所、例えば取付台座から、痕跡を残すことなく中継基板を取り外すことが出来ないようにすることを意味する。
更に、封止部とは、封止部材が挿入若しくは取り付けられる形状を有するものであり、例えば破断ネジが用いられる封止部にあっては、取付台座に形成されたネジ孔を少なくとも有するものである。また、その破断ネジの頭部を囲うリブ、若しくは中継基板を挟持する部位（例えば、取付台座４７５及び押さえ部材４９２により挟持する形態のように取付台座の一部とその他の部材の一部とにより構成される挟持部、又は取付台座に一体又は別体に形成された挟持部（例えば取付台座４７５の一部をコの字状に成形する、又は押さえ部材４９２の一部をコの字状に成形する）、を含む）が設けられれば、これらを含む。
又、取付台座とは、中継基板を取り付けるものを意味し、封止部の少なくとも一部と係合部とを備えるもので、実施例におけるテーブル状の形態やブラケットの如き部材のように脚部を備えるもののほか、脚部のない凹面状若しくは平面状の形態等を含むものである。さらに、他部材（例えば遊技盤３０又は球集合板４６０）に取り付けられるものや、他の樹脂部材（例えば球集合板４６０）と一体成形されたもの、又は中継基板を取り付ける部分が複数部品からなるもの等についても含むものである。
又、取付台座とは、封止部を封止するのに用いられる部材のことであり、実施例の破断ネジ（所定圧を超える螺合により頭部が捩子切れるネジ）、同様の作用を成すワンウエイネジ、或いは、封止部がネジによる締め付け力により塑性変形されるピンを有するものである場合にはピンを塑性変形させるネジのことを指すものである。
【００１２】
本発明にかかる手段１の遊技機は、
所定の遊技を制御する主制御基板と、取付台座に取り付けられる中継基板とを遊技盤の裏面側に配置し、前記主制御基板と複数の各種電気部品とを前記中継基板を介して接続してなる遊技機であって、
前記取付台座には、前記中継基板の長手方向一端側が係合される係合部が形成され、
前記中継基盤の長手方向他端側を挟持する封止部が設けられ、
該封止部に封止部材が用いられて前記中継基板が封止されることにより、解除痕跡を残すことなく前記中継基板を取り外すことが不能とされている、
ことを特徴とする。
【００１３】
このようにすれば、不正基板が極めて発見しづらくなるような不正行為、例えば不正基板として中継基板と同程度のものが出回るようになった場合には、その中継基板と近い位置に重ねるように配置されることを防止でき、中継基板の位置を微調整して取付台座と中継基板との間に最大限の間隙を形成したりして不正基板を隠されたりすることについても防止できる。また、中継基板に接続された配線をそのまま流用して（配線の通る位置も殆ど変えずに）、不正基板に付け替えられることについても防止することができる。
上記のように、上記中継基板を取付台座に対して、一旦封止が行われた後は解除痕跡を残すことなく封止解除が不能な封止部により封止したことにより、容易に取付台座から外せなくなると共に万一取り外し出来たとしてもその痕跡が残るので、不正基板の設置或いは不正配線を未然に回避することができる。
そして、前記中継基板自体は、従来のように多くのネジで取付台座に取り付けられるのではなく、その一端が係合部において係合状態とされ、他端が封止部において挟持され封止状態とされているだけであるので、その取り付けを簡単に行い得るのである。
また、封止部材がフランジ形状を有する部材（例えば破断ネジ、ワンウェイネジ、若しくはＴ字形状の封止ピンなど）からなるとともに、封止部材が各挟持部（実施例でいうネジ孔ボス部４８４及び押さえ部材４９２）にそれぞれ形成された孔部（実施例でいうネジ孔４８４Ａ及びネジ孔４９２Ａ）に挿通されることにより封止状態となる構造の封止部を採用する場合に、フランジ側の挟持部（実施例でいう押さえ部材４９２）をフランジよりも大きくすることによって、中継基板の基板面に対して封止部材によりかけられる圧力を広い面積に拡散させることができ、局部に圧力がかかることによる中継基板の破損などを抑制することができる。さらに、この構造のうち、封止部材がネジ山を有するものであり、各挟持部（封止部）が別部材に形成された場合には、各挟持部を封止部材の回動方向に沿って反対側に移動させ合うことで強制的に封止状態を解除させられることが考えられる。このような不正操作を防止するために挟持部の移動を規制する部位を設けるようにしてもよい。
特に、中継基板は、主制御基板と複数の各種電気部品とを接続するための重要な構成要素であり、そこには元来配線が集中するところから、不正基板等の敷設がなされても容易に発見し難いという状況があるところ、本発明によれば、中継基板に対する封止により、他の不正基板の敷設を不能にすることができるのである。
【００１４】
手段２：手段１の遊技機において、
前記封止部材が封止状態で螺合を解除する方向への回動が不能となるものであってネジ山を有する部材であり、前記封止部が、ネジ孔を備えた押さえ部材と、前記取付台座に設けられ、前記ネジ孔に対応するネジ孔を備えたボス部とから構成され、それらネジ孔に破断ネジを相通することによって前記中継基板が取付台座と押さえ部材とに挟持されるように構成されている、ことを特徴とする。
このように、各挟持部を別部材としたことにより、中継基板を一端を係合部に係合させる操作を行う場合に挟持部が邪魔になることがなく、中継基板の取付操作が行い易いという効果がある。手段２の構成によれば、封止部としての別体部品は、押さえ部材だけであり、部品点数を最小限とすることができながら、そのネジ孔と取付台座のボス部のネジ孔とに破断ネジを羅合させるだけで、一旦封止が行われた後は解除痕跡を残すことなく封止解除が不能となるように封止が行い得る。この構造はシンプルであり、敷設スペースが殆ど確保出来難い遊技盤裏面においては、このように省スペース化を図れることは有益である。ネジ形の封止部材としては破断ネジやワンウェイネジが考えられる。
【００１５】
手段３：手段１又は手段２の遊技機において、
前記取付台座が、設置される前記中継基板の外側面に沿って該中継基板を囲う壁体と前記中継基盤の裏面を覆う底板とにより形成される凹部を有することを特徴とする。
このように、中継基板の外側面に沿って該中継基板を囲う壁体と中継基板の裏面を覆う底板とが存在することによって、この中継基板を取り外そうとしてその側縁に指（爪）を引っ掛けたり、治具を当てようとすることが出来難くなり、取り外しを困難にすることができる。
【００１６】
手段４：手段２又は手段３の遊技機において、
前記押さえ部材が、前記中継基板の基板面と、前記中継基板を囲う壁体と、により形成された取付台座の凹部に収まる大きさに構成されている、ことを特徴とする。
このように構成することで、押さえ部材は壁体の内側に収まり、外部から取り外しを試みようとするとき、凹部から突出している場合に比べて、冶具等の取っ掛かりが得難く、不正防止に役立つ。
更に、好ましくは、前記押さえ部の上面が、前記凹部よりも低い位置に位置して、段差がつくように構成されているのがよい。
このように構成すれば、なお一層が外方からのアタックを防ぐことが出来る。
【００１７】
手段５：手段２乃至手段４の遊技機において、
前記押さえ部材が、その外郭に沿って補強リブを備えており、該補強リブに一体化する状態で内接してネジ孔を囲繞するネジ孔用リブが設けられている、ことを特徴とする。
【００１８】
このように、押さえ部材の外郭に沿って補強リブを備えることで、この押さえ部材の強度の向上を図ることができると共にネジ孔を囲繞するネジ孔用リブをこの補強リブに内接させることで、更に、強度を増すことができる。
勿論、このネジ孔用リブが、破断ネジを用いたときに、捻じ切れたネジの頭部を隠し、冶具等で容易にネジが把持されないようにするための機能を発揮するものであることは言までもない。
【００１９】
手段６：手段３乃至手段５の遊技機において、
前記押さえ部材は、前記取付台座の中継基板を囲う壁体の少なくとも隣接する又は対抗する２面に内接するように設けられている、ことを特徴とする。
【００２０】
このように、押さえ部材が中継基板を囲う壁体の近接する又は対抗する２面に内接することで、破断ネジで封止が行われた後で、不正行為として、この破断ネジの締め付け力に抗して、この押さえ部材自体を、回動させようとすると、この押さえ部材が前記２面の壁体に接当してその動きを阻止されることになり、押さえ部材を可動させるところからの不正を阻止できる。
尚、実施例においては、前記押さえ部材は、矩形であり、且つ、矩形の取付台座の端部の内側に位置されて、その３面の壁体、即ち、長辺側の２面（対向する２面）と、一側の短辺の１面（隣接する１面）に接当するものであるが、一側の長辺と、隣接する短辺との２面で接当する形態或いは２側の長辺で接当する形態が採られてもよい。
又、次のような構成とした場合には、上記と同等の効果を奏する。
前記壁体は、前記押さえ部材が前記封止部材を中心として回動した場合の軌跡の範囲内に配置されている構成。
【００２１】
手段７：手段３乃至手段６の遊技機において、
前記取付台座の底板には、前記押さえ部材の幅に対応して支持リブが立設され、該支持リブが前記ボス部と実質的に同じ高さで、且つ、このボス部よりも前記凹部の内側に位置して近接して設けられている、ことを特徴とする。
【００２２】
このように、取付台座の底板に支持リブを立設し、該支持リブが前記ボス部と実質的に同じ高さに形成されていることで、前記押さえ部材による中継基板を前記支持リブと前記ボス部との２箇所により強固に挟持できる。勿論、この押さえ部の本体自体による押さえ作用による挟持作用は発揮されるが、前記構造によって、その挟持力がより確実に中継基板に伝達されることになる。
また、この支持リブが、ボス部よりも前記凹部の内側に位置して近接して設けられていることで、中継基板を前記ボス部とこの支持リブとで強固に支持させることができて、この中継基板を、前記凹部の内側において上方から押圧して撓ませ、中継基板と押さえ部材との間に冶具を挿入することによって封止部材を切断する等の不正を未然に回避させることができる。
ここで、「押さえ部材の幅」とは、押さえ部材の平面視における取付台座の長手方向の長さのことを指し、「実質的に」とは、支持リブとボス部の高さが略々同じレベルであり、何れかが多少高低であることも含まれるｌことを意味する。
また、中継基板は、基板の温度上昇による不具合を防止するため等に、中継基板の裏面（のうち端子の半田付けによる突出先端）と底板との間には若干の隙間を形成しておく必要がある。このため従来の構造では、中継基板が取付台座に取り付けられた状態で強制的に撓ませることが比較的容易に行うことができるようになっており、手段７の構成を適用することが上記のような不正行為を防止できる点で効果的である。
【００２３】
手段８：手段３乃至手段７の遊技機において、
前記取付台座のボス部は、切断部を介して該取付台座の裏面側に設けられており、該切断部を切断することで前記ボス部が取付台座から分離されるように構成されている、ことを特徴とする。
このように構成することで、この中継基板及び取付台座を廃棄する際に、リサイクルとして、中継基板から破断ネジを取り外さなければならないところ、前記切断部を切断することで、先ず、中継基板と押さえ部材とを取付台座から分離させることができ、次いで、容易に破断ネジを外すことができる。
また、前記切断部が取付台座の裏面側に設けられているので、外側から（遊技盤の裏面側から）は容易に切断部に工具を作用させることができ難いのであり、不正な切断を未然に回避できるものである。
【００２４】
手段９：手段３又は手段８の遊技機において、
前記中継基板の長手方向一端側が係合される係合部が、前記取付台座の底板から、その短辺方向と平行で、前記支持リブと同じ高さに立設された立壁と、該取付台座の短辺の壁体から前記立壁の上面よりも前記中継基板の厚み分だけ上方に変移した位置で、前記凹部内側に向けて、且つ、平面視、前記立壁の位置に所定の距離を離した長さで延設された横壁とから構成されている、ことを特徴とする。
このように構成したことで、中継基板の一端部を、前記立壁の上面と横壁との間のスペースに、上方から差し込むようにして簡単に取付台座に係合させることができる。
この状態で、中継基板の他端を上述した封止部で封止するのである。
尚、実施例では、前記横壁の下方には底板がなく、底板が途中までで、その先に立壁が設けられており、中継基板がセットされていない状態では、平面視で見たとき、前記立壁の上面と横壁との間から下方が抜けて見える。しかし、底板を、その取付台座の全長に渡って設け、その所定位置に立壁を設けるようにしてもよい。
【００２５】
手段１０：手段２乃至手段３、手段５、手段７の遊技機において、
前記押さえ部には、前記取付台座の中継基板を囲う壁体の、対向する長辺側の２つの壁体の表裏面をそれぞれ前記凹部の開口側から覆った状態で保持されるコの字状を有する保持する保持部が備えられている、ことを特徴とする。
このように、押さえ部材に保持部を設けることで、封止したときに、この押さえ部材によって、前記取付台座の２つの壁体の表裏面をそれぞれ前記凹部の開口側から覆った状態で保持することができ、その結果、中継基板を取り出すべく取付台座の壁体を撓ませようとしても、これを阻止できることになって、不正防止を行うことができる。
【００２６】
手段１１：手段１０の遊技機において、
前記保持部が、前記取付台座の短辺側の壁体の外側に接当する短辺側支持壁を備え、該短辺側支持壁の両側部は、前記取付台座の長辺側の壁体に接当する長辺側支持壁に繋がっており、これら短辺側支持壁と長辺側支持壁が前記取付台座の壁体の高さよりも長く構成されている、ことを特徴とする。
このように、前記保持部が前記取付台座の長辺側の壁体を保持するだけでなく、前記取付取付台座の壁体の高さよりも長く構成された短辺側支持壁と長辺側支持壁とで取付台座の各壁体に接当することになって、封止後において、その保持状態を強固に支持できるようにされているのである。
【００２７】
手段１２：手段１１の遊技機において、
前記短辺側支持壁の下端には、係合突片が設けられており、他方、前記取付台座には、該係合突片に係合する係止部が設けられ、前記係合突片が前記係止部に係合された状態で前記押さえ部材により前記中継基板が封止されたときに、前記係合突片が前記係止部に係合された状態を解除できなくなるように構成されている、ことを特徴とする。
このように、前記係合突片と係合部との係合によって、前記押さえ部材は、その破断ネによる封止に際して、その保持部の短辺側支持壁の下端において、前記取付台座に係止されることになり、結果として、この押さえ部材は、離れた位置において位置固定されることとなって、安定的に封止が行われることになり、また、前記短辺側支持壁と長辺側支持壁に作用して押さえ部材を外そうとしても、これら短辺側支持壁と長辺側支持壁が前記係合突片と係合部とで係止されていることで、容易に変位させられることがなく、一層、不正防止を果たすことが出来る。
【００２８】
手段１３：手段１１又は手段１２の遊技機において、前記係止部が、前記取付台座の脚部に外方に突出する膨出部が形成され、該膨出部の上面壁の一部に、該取付台座の短辺側の壁体に平行なスリットを形成することにより、該スリットと前記膨出部の上面壁とで構成されている、ことを特徴とする。
このように前記係止部を、前記取付台座の脚部の一部変形でもって構成することで、格別の部材を設けることなく、備えることができる。
【００２９】
手段１４：手段１乃至１３の遊技機において、
遊技機はパチンコ機であることを特徴とする。
パチンコ機の基本構成としては、操作ハンドルを備え、その操作ハンドルの操作に応じて有価物体の一例である球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カード書き込まれるデータ等も含む）が付与されるものが挙げられる。
パチンコ機にあっては、遊技盤の裏面側、内枠の表面側のうち前面枠により覆われた箇所、内枠の裏面側、前面枠の裏面側、などに中継基板が取り付けられることが考えられる。
【００３０】
手段１５：手段１乃至１３の遊技機において、
遊技機はスロット機であることを特徴とする。
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、有価物体はコイン、メダル等が代表例として挙げられる。
スロット機にあっては、筐体内側、前面枠の裏面側、などに中継基板が取り付けられることが考えられる。スロット機に配置される中継基板のうち、抽選を制御する主制御基板と操作レバー（遊技開始操作を行うもの）への操作を検出するためのスイッチとを接続する中継基板に対しては、不正に特別遊技状態を発生させる不正行為がされる可能性が高いため、特に不正対策が必要となる。
【００３１】
手段１６：手段１乃至１３の遊技機において、
遊技機はパチンコ機とスロット機を融合させた遊技機であることを特徴とする。
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
パチンコ機とスロット機を融合させた遊技機にあっては、内枠の表面側のうち前面枠に覆われた箇所、内枠の裏面側、前面枠の裏面側、などに中継基板が取り付けられることが考えられる。パチンコ機とスロット機を融合させた遊技機に配置される中継基板のうち、抽選を制御する主制御基板と操作レバー（遊技開始操作を行うもの）への操作を検出するためのスイッチとを接続する中継基板に対しては、不正に特別遊技状態を発生させる不正行為がされる可能性が高いため、特に不正対策が必要となる。
【００３２】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
【００３３】
（パチンコ機の正面構成）
図１は本実施形態のパチンコ機１０の正面図であり、図２は、パチンコ機１０の左側面図であり、図３は、その平面図である。図４は、外枠１１に対して内枠１２と前面枠（セット）１４と、セット板４００を開放した状態を示す斜視図である。（但し、図４では便宜上、遊技盤３０面上の遊技領城内の構成〔釘、センター役物等〕を空白で示しているが、アウト口３６は描いてある）。
【００３４】
図１乃至図４に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリルーブタジエンースチレン）樹脂から成る。こうすることで、粘性が高く衝撃に強くでき、低コストで製造できるという利点が発揮される。
【００３５】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４（内枠１２の左右上端部位置）が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００３６】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と後述するセットハンドルと発射モーターなどで構成されている。
音出力口２４は、内枠１２の左右上端部位置に設けられたスピーカからの音を出力するための出力口である。また、灰皿２２は、図１に示すように、下皿１５の左方に設けられている。灰皿２２は左右方向（水平方向）の軸線を軸心にして回動（例えば前方側に向けて前回り）するように支持されている。
【００３７】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００３８】
また、前面枠１４は、図４に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠１４は内枠１２の外側壁（リブ）１２Ｂ内に嵌まり込むようにして取り付けられている。
つまり、この前面枠１４の側面の少なくとも一部が内枠１２の外側壁（リブ）１２Ｂ内に嵌まり込むようにして取り付けられているので、内枠１２と前面枠１４との隙間から異物（針状あるいは薄板状等のものであって、具体的には針金、ピアノ線、セルロイド板等）を差し入れるなどの不正行為を防止できるようになっている。また、前面枠１４は、内枠１２と同様に、合成樹脂、具体的にはＡＢＳ樹脂により構成されているので、粘性が高く衝撃に強くでき、低コストで製造できる。
【００３９】
一方、前面枠１４の下部（上述の下皿１５の上方位置）には、遊技球の受皿としての上皿１９（図１参照）が前面枠１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００４０】
図４に示すように、内枠１２は、外形が矩形状の樹脂ベース２０を主体に構成されており、樹脂ベース２０の中央部には略円形状の窓部孔２１が形成されている。
そして、樹脂ベース２０の後側には、図４及び図５に示す遊技盤３０が着脱可能に装着されている。図５に示すように、遊技盤３０は四角形状の合板よりなり、上部一方のコーナーが肩落ちされており(後に述べる)、その周縁部が樹脂ベース２０（内枠１２）の裏側に当接した状態で取着されている。
【００４１】
従って、遊技盤３０の前面部の略中央部分が樹脂ベース２０の窓部孔２１を通じて内枠１２の前面側に露出した状態となっている（図４では遊技盤３０のアウト口３６が示されている）。そして、ここでは、遊技盤３０の前記内枠１２の外枠１１に対する枢着部（パチンコ機１０の正面からみて左側に上下に延びる開閉軸線を軸心にした枢着）に近いコーナー（隅）が、図５に示すように、略三角形状に角落ち（切り欠き）７２０されている。
【００４２】
次に、図５を用いて遊技盤３０の構成を説明する。図５は遊技盤３０の構成を示す正面図である。遊技盤３０の左右やや下方位置には、２組一対の一般入賞口３１、３１が階段状に配置され、中央下方には、始動口３３が配置されている。これら一般入賞口３１、３１および始動口３３は、遊技領域から裏面へ向けて貫通する開口となっており、これらの開口に対応して入賞装置が取り付けられている。即ち、此れらに対応した入球検出センサが、遊技盤３０の背面に設けられており、これらのセンサは、図示しない電気配線を通じて後述する主制御基板（主制御装置）に接続されている。
そして、この一般入賞口３１、３１及び始動口３３に遊技球が入球した場合には、上記各検出センサで検出され、この検出センサの出力に基づいて、上皿１９（または下皿１５）へ所定数の賞品球が払い出されると共に、始動口３３に遊技球が入球した場合には、後述する抽選が開始されることになる。
【００４３】
尚、上記入賞感知センサにて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。
かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００４４】
また、遊技盤３０の中央には液晶パネルを用いた装飾図柄表示装置４２が配置されており、その左右横側部には、スルーゲート３４，３４が配置されている。これらのスルーゲートは、遊技球の通過によって、後述の始動口３３の羽根物を開閉作動させる。
その他に、遊技盤３０の左右下方位置には、上記一般入賞口３１、３１を備えた装飾部材３５が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されているとともに、同様の機能を有する風車が配設されている。
【００４５】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００４６】
なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。
かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００４７】
内レール５１の先端部分（図５の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図５の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００４８】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００４９】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路に導くための役目をなす。
なお、遊技盤３０の右下隅部および左下隅部は、証紙（例えば製造番号が記載されている）等のシール（図５のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図７のＳ１，Ｓ２）を貼着することで、遊技盤３０と証紙との一義性を持たせることができる。
【００５０】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。
従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領域の下側限界位置は遊技盤３０の下端位置によって特定される。また、遊技領域の上側限界位置は外レール５２によって特定される。
【００５１】
前記樹脂ベースにおいて、窓部孔２１（遊技盤３０）の下方には、遊技球発射装置３８より発射された直後に遊技球を案内するための発射レールが取り付けられている。発射レールは、その後方の金属板を介して樹脂ベースに取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りレールユニット５０の球案内通路を通じて所定の遊技領域に案内されるようになっている。
【００５２】
また、発射レールとレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００５３】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路に誘導される、これにより、ファール球の全てがファール球通路に確実に案内されるようになり、ファール球と次に発射される遊技球との干渉が抑制される。
【００５４】
なお、詳しい図面の開示は省略するが、遊技球発射装置３８には、前面枠１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００５５】
図４中の符号６７は、上皿１９に通ずる排出口であり、この排出口６７を介して遊技球が上皿１９に排出される。この排出口６７には、略水平方向の回転軸を軸心として略水平状態と略垂直状態とに変位する開閉式のシャッタが取り付けられている、前面枠１４を内枠１２から開放した状能（図４の状態）では、バネ等の付勢力によりシャッタが略水平状態から略垂直状態となり、排出口６７から遊技球がこぼれ落ちないようにこの排出口６７を閉鎖する。
【００５６】
また、前面枠１４を閉鎖した状態では、当該前面枠１４の裏面に設けられた球通路樋６９（図４参照）によりシャッタが押し開けられて略水平状態になり、排出口６７の方へ排出された遊技球はもれなく球通路樋６９を通って上皿１９に排出されるようになる。従って、本パチンコ機１０においては、前面枠１４の開放に際し払出通路内等の遊技球がパチンコ機１０外にこぼれ落ちてしまうといった不都合が防止できるようになっている。
【００５７】
図４に示すように、内枠１２の上側には、前面枠１４が内枠１２に対して開かれたことを検出する前面枠セット開検出スイッチ９０が設けられている。前面枠１４が開かれると、前面枠セット開検出スイッチ９０からホール内（パチンコ店内）用コンピュータヘ出力されるようになっている。また、前面枠１４が閉じられると、前面枠１４の金属製の補強板が、内枠１２の一対の金具に接触するようになっており、前面枠１４のアースが確保されている。
【００５８】
ここで、前述した前面枠１４について、図１乃至図４を参照しつつより詳細に説明する。
前面枠１４には前記遊技領域のほとんどを外部から視認することができるよう略楕円形状の窓部１０１が形成されている。詳しくは、ベース部材が窓部１０１を形成する開口を備えており、その左右側の略中央部が、上下側に比べて比較的緩やかに湾曲して細化した形状となっている。なお、前記略中央部が直線状になるようにしてもよい。
【００５９】
加えて、前面枠１４には、その周囲（例えばコーナー部分）に、演出装置７００の一つとして、各種ランプ等の発光部が設けられている。これら発光部は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した環状電飾部１０２が左右対称に設けられ、該環状電飾部１０２の中央であってパチンコ機１０の最上部には、同じくＬＥＤ等の発光部を内蔵した中央電飾部１０３が設けられている。
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている。
【００６０】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、環状電飾部１０２の下端部に隣接するようにして、内枠１２表面や遊技盤３０表面等の一部を視認できるよう透明樹脂からなる小窓部１０７が設けられている。この小窓部１０７の所定箇所を平面状としているので、遊技盤３０の右下隅部に貼り付けられた証紙などを、小窓部１０７の当該平面状箇所から機械で好適に読み取ることができる。更に、遊技領域内にも、入賞口用等の電飾ランプ、ＬＥＤが存在するが、こうした発光部も演出装置７００の一部を構成する。
【００６１】
また、図１に示すように、窓部１０１の下方には貸球操作部１２０が配設されており、貸球操作部１２０には球貸しボタンと、返却ボタンと、度数表示部とが設けられている。
パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。
【００６２】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００６３】
（パチンコ機の背面構成）
図６及び図７は、パチンコ機１０の背面図と、セット板４００を一部開いた斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）等が取り付けられている。
【００６４】
本実施形態では、各種制御基板を３つの制御基板にユニット化し、これら制御基板ユニットを個別に内枠１２または遊技盤３０の裏面に装着するようにしている。ここでは便宜上、これらのユニットを「第１制御基板ユニット２０１」、「第２制御基板ユニット２０２」および「第３制御基板ユニット２０３」と称することとする。この場合、第１制御基板ユニット２０１および第２制御基板ユニット２０２として、主制御基板と音声ランプ制御基板とがそれぞれ取付台に搭載してユニット化され、第３制御基板ユニット２０３として、払出制御基板、発射制御基板および電源基板が、セット板４００の第２パーツを構成する排出通路盤にユニット化されている。
【００６５】
第１制御基板ユニット２０１、第２制御基板ユニット２０２および第３制御基板ユニット２０３は、ユニット単位で何ら工具等を用いずに着脱できるよう構成されており、さらにこれに加え、一部に支軸部を設けて内枠１２または遊技盤３０の裏面に対して開閉できる構成となっている。かかる構成については後に詳述する。これは、各ユニット２０１、２０２、２０３やその他構成が前後に重ねて配置されても、隠れた構成等を容易に確認することを可能とするための工夫でもある。
【００６６】
図５に示す一般入賞口３１、始動口３３に入賞した遊技球は何れも前記裏枠セットの回収通路を介して集合し、さらに排出通路盤の排出通路２１８を介してパチンコ機１０外部に排出される。なお、アウト口３６（図５参照）も同様に排出通路に通じており、何れの入賞口にも入賞しなかった遊技球も排出通路２１８を介してパチンコ機１０外部に排出される。
【００６７】
その他、図６に示すように、内枠１２の背面構成において、遊技盤３０の右下部には、後述する払出機構部３５２より払い出される遊技球を上皿１９、下皿１５、または排出通路の何れかに振り分けるための遊技球分配部が設けられている。
【００６８】
第１制御基板ユニット２０１は、遊技盤３０の裏面側に配設され、略Ｌ字状をなす取付台を有し、この取付台に主制御装置２６１が搭載されている。ここで、主制御装置２６１は、主たる遊技の制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる後述の第１基板ケースに収容された構成とされる。
【００６９】
第２制御基板ユニット２０２は、取付台座に音声ランプ制御装置が搭載された構成を有し、装飾図柄表示装置４２の裏面側を覆う位置に配置され、遊技盤３０に取り付けられている。音声ランプ制御装置は、音声ランプ基板を具備している。
【００７０】
第３制御基板ユニット２０３は、払出制御装置３１１、発射制御装置３１２、電源制御装置３１３およびカードユニット接続基板３１４が含まれる。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。
【００７１】
また、発射制御装置３１２により、遊技者による遊技球発射ハンドル１８の操作に従い発射モーターの制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００７２】
上記払出制御装置３１１、発射制御装置３１２、電源制御装置３１３およびカードユニット接続基板３１４は、透明樹脂材料等よりなる基板ケース３１５（この内側に位置するもう一つの基板ケース），３１６，３１８にそれぞれ収容された構成とされ、セット板４００の上部から側部にかけて配置された概略逆Ｌ字状をなす払出ユニットならびに下部に配置された排出通路盤とともに、第３制御基板ユニット２０３を構成している。
【００７３】
図６に示すように、払出制御装置３１１には状態復帰スイッチ３２１が設けられている。例えば、払出モーター部の球詰まり等、払出エラーの発生時において状態復帰スイッチ３２１が押下されると、払出モーターが正逆回転され、球詰まりの解消（正常状態への復帰）が図られるようになっている。また、電源制御装置３１３にはＲＡＭ消去スイッチ３２３が設けられている。
【００７４】
そして、図４に示す通り、前記内枠１２の外枠１１に対する枢着部７２５に近い前記遊技盤３０のコーナーが、図５に示すように、略三角形状（遊技盤の中心側は円弧状）に角落ち７２０されている。前記枢着部７２５は、図４に示すように、外枠１１に固定のブラケット７２６（上端部）（下端部は図外）に、内枠１２に固定の取り付け金具を枢着することで構成されている。
【００７５】
ここで、上述したエラー状態などの状態報知について図１及び図６に基づいて述べる。［遊技球の払い出しに関するエラー報知］
（タンク球無し）
タンク球無しの報知は、タンクとタンクレールに遊技球が無いことを報知するもので、図１に示す右コーナーＬＥＤ８１０が点灯し、図６に示すモニターＬＥＤ８１１が消灯し、状態表示８１２が「１」を点滅表示する。
【００７６】
（下受け皿満タン）
下受け皿満タンの報知は、図１に示す右コーナーＬＥＤ８１３が点灯し、図６に示すモニターＬＥＤ８１１が消灯する。そして、状態表示８１２が「２」を点滅表示する。
【００７７】
（払出ユニット異常）
払出モーター駆動中にも関わらず払出カウントスイッチに遊技球の通過がない状態を示すもので、右コーナーＬＥＤ８１０が点灯し、モニターＬＥＤ８１１が消灯し、状態表示８１２が、「３」を点滅表示する。
【００７８】
［電源に関するエラー報知］
（ヒューズ切れ１及びヒューズ切れ２）
ヒューズ切れ１は、図６に示す第１ヒューズ８１４に定格以上の電流が流れたとき、ヒューズ切れ２は、第２ヒューズ８１５に以上の定格以上の電流が流れたときに飛んでしまった状態であるが、このエラー状態報知は、表示されない。
【００７９】
［その他のエラー報知］
その他のエラーとしては、「ガラス枠開放」、「内枠開放」、「遊技球等貸出装置未接続」、「遊技球等貸出装置通信異常」、「コマンド異常」、「コネクタ未接続」がある。そのうち、遊技球等貸出装置が未接続の場合は、図６に示すモニターＬＥＤ８１６及びモニターＬＥＤ８１７が消灯する。そして、遊技球等貸出装置通信異常は、前記状態表示８１２が「Ｕ」を点滅表示する。
また、コマンド異常は、ハーネスの破損等によるコマンド不良を示すもので、前記状態表示８１２が「Ｃ」を点滅表示する（電源投入時にコマンド異常になった場合は点灯表示）。更に、コネクタ未接続は、モニターＬＥＤ８１８が消灯する（ただし、発射動作中は点滅する）。
尚、図６において、８１９は、遊技機電源コードを示し、８２０は、電源スイッチを示し、８２１は、外部接続アース線を示す。
【００８０】
次に、第１制御基板ユニット２０１について説明する。第１制御基板ユニット２０１には、主制御装置２６１が搭載され、該主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を収容してなるものである。
【００８１】
前記第１制御基板ユニット２０１は、第１第１制御基板ユニット２０１Ａ、後述の開閉機構４１０および連結取付台座部材４３０を含み、第１第１制御基板ユニット２０１Ａは、第１制御基板ユニット２０１の主要部をなす部材であり、図８乃至図１６に示すように、外側ケース７０および内側ケース８５を含む。この実施例では、外側ケース７０が主制御装置２６１の制御基板８０を収容する容積のある方であり、内側ケース８５がその蓋体に相当する方である。
この第１第１制御基板ユニット２０１Ａは、前記外側ケース７０側に設けられる外側封印部７１と、前記内側ケース８５側に設けられる内側封印部８６と、その外側封印部７１と内側封印部８６とを連結する封印部材８７とを有し、その封印部材８７によって前記外側封印部７１と内側封印部８６とが連結されている場合に前記制御基板８０を取り出すときには第１第１制御基板ユニット２０１Ａを破壊するか或いは所定の部位を切断することを必要とするものである。
【００８２】
前記外側ケース７０の外側封印部７１と内側ケース８５の内側封印部８６とは対を成すもので、この実施例では、個別に使用することのできる４個の封印部（封印、開封の再使用不可）から構成されており、それぞれを、封印部材８７を用いて封印するよう構成されたものであり、こうした封印構造は、公知に属するものと変わらないものであるから、ここでの詳細説明は省略する。
【００８３】
図８は、遊技球が流下する遊技領域を前面側に形成してある遊技盤３０の裏面の斜視図である。図９は、第１第１制御基板ユニット２０１Ａを開閉機構４１０から取り外した状態を示す。
【００８４】
上記開閉機構４１０は、第３部材としての回動連結のための軸４１１を備え、一端側、即ち、コの字形に折り曲げられた一枚の支持板（約２ｍｍ厚の鋼板）からなる第１部材としての支持体４１２が、図１６に示すようにそのコの字の底板部分で遊技盤３０の裏面側にネジで固定され、他端側は、その軸４１１を基点にして回動するように枢着された第２部材としてのブラケット４１３で構成されている。前記軸４１１は、リベット構造であり、その両端部を変形させることよって容易に抜き取り出来ないようにされている。
【００８５】
前記第１部材としての支持体４１２のコの字の底板部分にはネジ孔が設けられ、図１６に示すように、遊技盤３０の裏面と球集合板４６０（入賞装置に入球した遊技球を受けて下方へ誘導する排出通路が形成されているもの）との間でネジ固定され、球集合板４６０の開口部４６１（又は切り欠き部）を介して遊技機の裏面側に向かう方向に突出する。そして、このブラケット４１３は、板状体で構成されて第１係合部４１４（後述の連結取付台座部材４３０に対する）に構成され、その第１係合部４１４には、図１７に示す切り欠き係合部４１５が形成されている。この切り欠き係合部４１５は、切り欠き部分の両側の先端部が互いに対向する方向に鉤状に突出し、全体として概略Ｃ字形状となるように形成されている。
【００８６】
上記構造とすることにより、球集合板４６０を遊技盤３０に取り付けた後は支持体４１２が外側から取り外せない状態となるので、例えば後述する第１第１制御基板ユニット２０１Ａを不正に取り外したりすることがより困難となる。
【００８７】
上記球集合板４６０については、その外周部の複数個所を遊技盤３０の裏面に対して固定するが、そのうちの少なくとも一つが固定解除できないように、破断ネジ等でするか、ビス留めしたあと、ビス頭部を覆うキャップを取り付けるようにする等して、球集合板４６０が遊技盤３０から容易に外されるのを防止する構造としてもよい。
【００８８】
破断ネジは、螺合させて締結（本締め）するのに必要な程度のトルクで回転させて締結した後、さらに大きい所定の高トルクで回転させると破断する破断部を備えるネジであり、具体的には例えば図１５に示す破断ネジＫのように、頭部Ｋ１０および軸部Ｋ２０で構成され、頭部Ｋ１０が、外側頭部Ｋ１１および内側頭部Ｋ１２が軸方向に並置するように形成された構成を有し、外側頭部Ｋ１１と内側頭部Ｋ１２との間に、くびれるようにテーパ状に細径化した形状を有する破断部Ｋ１３が設けられたものとなっている。使用時には、ドライバを外側頭部Ｋ１１の溝に嵌合し必要なトルクで回転させて軸部Ｋ２０を締結対象部材のネジ孔に螺入し本締めした後、外側頭部Ｋ１１をさらに高トルクで回転させると破断部Ｋ１３で破断して外側頭部Ｋ１１が離脱し、以降はドライバにより破断ネジＫを回転させることができずその取り外しが不可能となる。
【００８９】
上記切り欠き係合部４１５は、後述の第２係合部４３３とでもって、第１係合部４１４の抜け出し防止の規制機構４４０を構成する。前記ブラケット４１３（約２ｍｍ厚の鋼板）には、図１７に示すように、前記支持体４１２に枢支連結される一枚の支持板からなる支持部４１３Ａが形成されており、その支持部４１３Ａは、ブラケット本体部から直角に折り曲げられて側面視で門型に形成されている。
【００９０】
尚、前記第１第１制御基板ユニット２０１Ａは、既述の通り、外側封印部７１を備える外側ケース７０と内側封印部８６を備える内側ケース８５を有し、主に外側ケース７０の内部に遊技を制御する制御基板を収容する構成のものである。
【００９１】
次に、図９乃至図２０に基づいて、連結取付台座部材４３０について述べる。
この連結取付台座部材４３０は、前記開閉機構４１０と前記第１第１制御基板ユニット２０１Ａとにそれぞれ連結されるものであり、言わば従来から用いられていた基板ケースを取り付けるための取付台座に相当するものであって、合成樹脂で成型されており、ここでは、幅は、前記第１第１制御基板ユニット２０１Ａの幅と実質的に同じ幅（約１５０ｍｍ）で、長さが約４８ｍｍ（第１第１制御基板ユニット２０１Ａの長手方向に向かう長さ）、厚みが１３ｍｍ、肉厚は、２ｍｍのものであり、第１第１制御基板ユニット２０１Ａの内側ケース８５の側面に接当する側が開放され、リブが多数設けられ、破断ネジ４３９を収容する収容部４３１が、ここでは３個形成されており、そこに破断ネジ４３９がそれぞれ１本づつセットされるようになっているが、周壁、リブの端面は同じレベルに形成され、内側ケース８５の側面に密着接当可能にされており、反対側の側面（遊技盤３０側）は、平坦に形成されている。
【００９２】
前記第１第１制御基板ユニット２０１Ａのうち、前記連結取付台座部材４３０と連結封止される部位である第１取付台座封止部４５０が、その内側ケース８５の端部に設けられており、ここでは該第１第１制御基板ユニット２０１Ａの幅方向に、所定の間隔を隔てて４個突設されている。この第１取付台座封止部４５０は、外側ケース７０の外側封印部７１と内側ケース８５の内側封印部８６との位置と平面視で位相がずれるように変位して配置されており、従って、第１第１制御基板ユニット２０１Ａを背面から（遊技機の背面から）見たときに、前記外側封印部７１と内側封印部８６に重なることなく、視認できる状態にある。
即ち、前記外側封印部７１と内側封印部８６の位置する側に前記第１取付台座封止部４５０が配置され、且つ、前記第１第１制御基板ユニット２０１Ａの背面視（正面）において、前記第１取付台座封止部４５０が見えるように前記外側および内側封印部７１、８６と平面位相をずらせて配置されているのである。
【００９３】
そして、前記連結取付台座部材４３０には、前記第１第１制御基板ユニット２０１Ａの前記第１取付台座封止部４５０と連結封止される部位である第２取付台座封止部４３２が、ここでは、４個が、前記４個の第１取付台座封止部４５０と対応する位置に突設されている。この１個の第２取付台座封止部４３２の構造は、この連結取付台座部材４３０の本体に繋がるリブに、有底のネジ止め凹部を有する突起体が一体成型されており、そのリブの底面と有底板分の底面は面一で、且つ、前記収容部４３１のリブ及び周壁のレベルと面一とされている。
そして、前記第１、及び第２取付台座封止部４５０、４３２は、破断ネジを用いて連結封止される。
【００９４】
前記連結取付台座部材４３０の内部に、前記開閉機構４１０の前記第１係合部４１４と係合する部位である第２係合部４３３Ｃ、４３３Ｄ（図１８参照）が設けられる。この第２係合部４３３Ｃ、４３３Ｄは、この実施例では、前記連結取付台座部材４３０の本体とは別体成型の後述する第２被覆部材４３０Ｂに取り付けられる。勿論、別体の第２被覆部材４３０Ｂが存在せず、第２係合部４３３が連結取付台座部材４３０の樹脂成型時に埋め込まれたり、或いは、それ自体の弾性変形を利用して、連結取付台座部材４３０に形成された挿入部４３４の内部に挿入設置されるように構成されてもよいものである。
【００９５】
前記第２係合部４３３Ｃ、４３３Ｄは、ここでは、弾性を備えた一枚の薄い板体（鋼板）で構成され、その所定箇所をコの字に打ち抜いて舌片４３３ｄ（図示、但し他方の舌片は対象位置にあるが図では示されていない）を形成し、該舌片４３３ｄをコの字の付け根部で曲げることで弾性係合爪を形成し、且つ、前記第１係合部４１４を金属製の平板状体で構成し、そこに切り欠き係合部４１５を形成することによって、該切り欠き係合部４１５に前記舌片４３３ｄの係合爪を係合させることによって、抜け出し防止の規制機構４４０Ｄを構成しているのである。そして、前記開閉機構４１０の前記第１係合部４１４を挿入して前記連結取付台座部材４３０の内部の前記第２係合部４３３Ｃ、４３３Ｄに係合させるために前記連結取付台座部材４３０に、挿入部４３４が形成されている。
【００９６】
このように、前記規制機構４４０Ｄは、前記第１係合部４１４と前記第２係合部４３３Ｃ、４３３Ｄとの係合において、前記開閉機構４１０の第１係合部４１４が前記挿入部４３４に挿入されて前記第２係合部４３３Ｃ、４３３Ｄと係合されたあとにその挿入方向とは逆の抜き出す方向への移動を規制するものである。
【００９７】
なお図１０には、図示を明確化するため、第１係合部４１４を前記挿入部４３４に挿入した状態で、第２部材すなわちブラケット４１３ごと第１第１制御基板ユニット２０１Ａが球集合板４６０から分離した状態が示されているが、実際のパチンコ機１０においては、ブラケット４１３は第１第１制御基板ユニット２０１Ａ側（連結取付台座部材４３０）よりも先に、球集合板４６０側（第１部材すなわち支持体４１２）に取り付けられた構造となっている。
【００９８】
ここで、更に、前記連結取付台座部材４３０について詳述する。前記第２係合部４３３Ｃ、４３３Ｄを被覆するべく前記連結取付台座部材４３０には、第１被覆部材４３０Ａと第２被覆部材４３０Ｂが備えられている。第１被覆部材４３０Ａが前記連結取付台座部材４３０に一体形成されたもので、第２被覆部材４３０Ｂは、前記連結取付台座部材４３０に組み合わせるよう別体構成とされ、且つ、その少なくとも一方、ここでは第１被覆部材４３０Ａに凹面が形成され、他方、即ち、第２被覆部材４３０Ｂに対向するよう組み合わせることで前記第１係合部を挿入するための前記挿入部４３４を形成している。具体的には、前記挿入部４３４は、その入口が、入口側から内部に向かって幅狭となるようにテーパ状に形成され、且つ、挿入方向に沿って複数、ここでは４本の案内リブが形成されている。
【００９９】
そして、この第２被覆部材４３０Ｂに、前記第２係合部４３３Ｃ、４３３Ｄが設けられるが、その第２係合部４３３Ｃ、４３３Ｄの薄板を、第２被覆部材４３０Ｂに形成した係止突片４３０Ｃに、その入口の側からスライド挿入して係止させ、且つ、ネジ止めされる。
前記第２被覆部材４３０Ｂは、前記第１被覆部材４３０Ａよりも小さく構成され、前記連結取付台座部材４３０と前記第１第１制御基板ユニット２０１Ａとが連結した状態においては、前記第２被覆部材４３０Ｂの取り外し方向側に前記第１第１制御基板ユニット２０１Ａが位置された状態となり、前記第１第１制御基板ユニット２０１Ａと前記第１被覆部材４３０Ａとにより被覆された状態となるように構成されているものである。
【０１００】
また、前記連結取付台座部材４３０は、前記第１第１制御基板ユニット２０１Ａよりも小さく構成され、前記第１第１制御基板ユニット２０１Ａのうち、基板裏面側で一端側に寄せて連結されるように構成されているものである。
【０１０１】
更に、上述した通り、前記第１及び第２被覆部材４３０Ａ、４３０Ｂを透明樹脂により成型し、これらに被覆される第２係合部４３３Ｃ、４３３Ｄを金属製の係合部材により構成してある。
前記第１第１制御基板ユニット２０１Ａの側面に、係止リブ４２０、４２０、４２０が前記連結取付台座部材４３０の略周部に沿って配置されて突出するように備えられ、該係止リブ４２０、４２０、４２０に所定の方向、即ち、第１第１制御基板ユニット２０１Ａの裏面に沿って第１、第２取付台座封止部や第１連結部の位置する側から第１第１制御基板ユニット２０１Ａの中央側に向けてスライド移動させることによって、係合するリブ係合部４３５が前記連結取付台座部材４３０の側部に設けられると共にその一つの係止リブ４２０が、前記連結取付台座部材４３０の収容部４３１の周壁の内側に形成されたリブ係合部４３６に係合するように設けられている。
【０１０２】
前述の別体構成の前記第２被覆部材４３０Ｂの両側部にカム面を備えた係合片４３０Ｄ、４３０Ｄが突設され、前記連結取付台座部材４３０の内部に前記係合片４３０Ｄ、４３０Ｄに係合する門型の係合部４３０Ｅ、４３０Ｅがそれぞれ設けられ、前記第２被覆部材４３０Ｂを前記連結取付台座部材４３０に対して押し付けることで前記カム面作用により前記係合部４３０Ｄ、４３０Ｄの素材の弾性変形を利用して門型の係合部４３０Ｅ、４３０Ｅへの係合が行われるように構成されている。
【０１０３】
本実施形態のパチンコ機１０においては、遊技機に取り付けられた第１制御基板ユニット２０１が遊技盤３０の裏面に対して開閉することにより、遊技盤裏面の設置物に対しての検査、メンテナンスが容易に行い得るのである。
そして、封印部により封印されることにより、制御基板に対して不正な改変を行ったり、不正品に交換されることを防止でき、また、第１、第２取付台座封止部４５０、４３２により連結封止することによって、第１制御基板ユニット２０１を不正品に交換されることを防止できる。
【０１０４】
更に、連結取付台座部材４３０に対して開閉機構４１０を簡単な操作により装着できるので、作業性が向上するのであり、そして、第１係合部４１４と第２係合部４３３とを一度係合させるとその解除が規制機構４４０Ｄによって規制され、係合部分は被覆されているので、連結状態の第１第１制御基板ユニット２０１Ａおよび開閉機構４１０、即ち第１制御基板ユニット２０１ごと不正に持ち去ることを防止できるのである。
【０１０５】
次に、第１被覆部材４３０Ａが前記連結取付台座部材４３０に一体形成されるのに対し、第２被覆部材４３０Ｂが前記連結取付台座部材４３０に組み合わせるよう別体構成とされることで、第２係合部４３３Ｃ、４３３Ｄを被覆することを行い得ながら、第２係合部４３３Ｃ、４３３Ｄを第２被覆部材４３０Ｂに備えておいて、これを後に組み合わせるという作業で、この、第２係合部４３３Ｃ、４３３Ｄを前記連結取付台座部材４３０の内部に備えることができる。
【０１０６】
また、前記連結取付台座部材４３０と前記第１第１制御基板ユニット２０１Ａとが連結した状態においては、第２被覆部材４３０Ｂが前記第１第１制御基板ユニット２０１Ａの側に位置して、前記第１被覆部材４３０Ａとで挟まれた状態となって第２係合部４３３Ｃ、４３３Ｄの被覆が行われ、その被覆が容易に外れない。
【０１０７】
更に、連結取付台座部材４３０は、前記第１第１制御基板ユニット２０１Ａよりも小さく構成され、前記第１第１制御基板ユニット２０１Ａのうち、基板裏面側で一端側に寄せて連結される構成であるので、従来のような基板ケースと同等の大型の取付台座を必要とすることがない状態で、その第１第１制御基板ユニット２０１Ａの開閉を行い得るのである。
【０１０８】
更に、前記第１及び第２被覆部材４３０Ａ、４３０Ｂを透明樹脂により成型し、これらに被覆される第２係合部４３３Ｃ、４３３Ｄを金属製の係合部材により構成してあることで、第１係合部４１４と第２係合部４３３Ｃ、４３３Ｄの係合状態が確実におこなわれているかどうか外部から視認でき、また、強固な係合がされていることが視認されることで、安易な取り外しが行われないようにすることができる。
【０１０９】
また、前記第２係合部４３３Ｃ、４３３Ｄを板金で構成してその一部を変形させることで第１係合部４１４に対する係合を行う構成であるので、極めて構造が簡単であり、同時に、係合状態の解除が容易に行われないものである。
【０１１０】
更に、挿入部４３４の入口をテーパ状として、且つ、案内リブを設けることで、第１係合部４１４の挿入を容易にすることができると共に内部への侵入がガイドされてスムースに行い得るのである。
【０１１１】
また、外側ケース７０の前記外側封印部７１と内側ケース８５の内側封印部８６の位置する側に前記第１取付台座封止部４５０及び第２取付台座封止部４３２が配置されるものの、前記第１、及び第２取付台座封止部４５０、４３２が見えるように前記外側および内側封印部と平面位相をずらせて配置されていることで、前記第１、及び第２取付台座封止部４５０、４３２が前記第１第１制御基板ユニット２０１Ａの背面視（正面）において、視認可能となり、前記第１、及び第２取付台座封止部４５０、４３２が不正に解除されているかどうか容易に分かるのである。
【０１１２】
また、第１第１制御基板ユニット２０１Ａの側面に、係止リブ４２０を突出するように設け、前記連結取付台座部材４３０を係止させて位置決めすることができ、その後の前記第１取付台座封止部４５０及び第２取付台座封止部４３２の連結が行い易いのである。
【０１１３】
更に、前記第２被覆部材４３０Ｂを連結取付台座部材４３０に取り付けるに、第２被覆部材４３０Ｂのカム面を備えた係合片４３０Ｄと、連結取付台座部材４３０の前記係合片４３０Ｄに係合する係合部４３０Ｅの存在によって、第２被覆部材４３０Ｂを連結取付台座部材４３０に向けて押圧するだけで、素材の弾性変形でもって係合が行われることになり、簡単に組み付けができる。
【０１１４】
また、連結取付台座部材４３０に、破断ネジ４３９を収容する収容部４３１を設けることで、第１第１制御基板ユニット２０１Ａの定期検査等で封止を解いた後に、そこから破断ネジ４３９をとり出して、再び新たな第１取付台座封止部４５０と第２取付台座封止部４３２との封止を行うことができる。
【０１１５】
（開閉機構の一部変形例）
上記開閉機構４１０の他端側である第２部材、第１、第２取付台座封止部４５０，４３２を、破断ネジで連結させてもよい。
例えば、製造時において開閉機構端部を連結取付台座部材挿入口に挿入して連結する操作に際し、第１、第２取付台座封止部の間に、前記開閉機構４１０の他端側である第２部材の一部が入り込む（挟まれる）ように構成されており、次回以降の連結封止では、これら３部品を一つの破断ネジで留めるようにする。この開閉機構４１０の他端側である第２部材は、第３取付台座封止部を構成するもので、前記ブラケット４１３の本体部の両側部から、前記支持部４１３Ａとは反対側に向けて延設され、且つ、その後にブラケット本体部と平行になるように曲折された細幅の取り付け板４１６からなり、その取り付け板４１６に２個一対のネジ孔（後述の連結取付台座部材４３０と第１第１制御基板ユニット２０１Ａに対する）が形成されている（ネジ孔ではあるがネジ切りはされていない；図２０参照）。
【０１１６】
また、第１取付台座封止部４５０に形成された切断部４５０Ａ（図９他参照）を切断して、破断ネジは第２取付台座封止部及び第２部材に残すようにすれば連結封止を解除できる。  更に、別の変形例として、第１、第２連結部の両方に切断部を形成し、破断ネジを第２部材に残すようにしてもよい。
【０１１７】
また、この例では、第１係合部４１４を構成する金属製の平板状体を方形状に打ち抜いて開口係合部４１７が形成されており、該開口係合部４１７に前記第２係合部４３３Ｃ、４３３Ｄの舌片４３３ｄの係合爪を係合させることによって、抜け出し防止の規制機構４４０Ｄが構成されている。
【０１１８】
遊技盤３０の裏面と第１制御基板ユニット２０１との間には、カバー部材５０１が介装されている。図１４及び図１６に示すように、遊技盤３０の裏面には球集合板４６０が設けられ、第１制御基板ユニット２０１はこの球集合板４６０に外側から取り付けられる構成となっているが、該球集合板４６０と第１制御基板ユニット２０１との間には、若干の間隙が形成されている。パチンコ機１０の機種によっては、遊技盤３０の裏面の設計に応じて、当該部位の寸法（奥行）が異なる。このため、この寸法の変動に対応できるように、球集合板４６０と第１制御基板ユニット２０１との間には、若干の余裕、すなわち間隙が形成されているのである。前記カバー部材５０１は、この球集合板４６０と第１制御基板ユニット２０１との間の間隙を補填するためのものであり、当該間隙にほぼ対応した寸法を有するものとなっている。
【０１１９】
上記カバー部材５０１を設けた主たる目的は、球集合板４６０の裏面に設けられた種々の電気部品、例えば、遊技盤３０の表面に設けられた電飾用の基板等の電気部品、配線などを保護することになる。即ち、この球集合板４６０の裏面に露出された状態に配置されているものであるから、裏面側からアタック（多の部品の組み付け時、或いは基板ケースの開閉時）に際して、破損、破断が生じる虞がある。
【０１２０】
この他に、球集合板４６０の裏面中央には、中継基板４７０、これにつながるコネクタ、配線が設けられている。ここでは、中継基板４７０は、表裏２段配置に構成されており、裏面側（外側）では、第１制御基板ユニット２０１からの入力を、大入賞口作動のための中継とし、また一部の電飾に中継し、また、入球を検知するセンサーの出力を中継している。同様に、内側の中継基板については、電飾等の中継を行う。
また、球集合板４６０の裏面に露出されている基板としては、大当たりに際して開く大入賞口装置４７１（図５参照）のための制御（ソレノイド、センサー）を行う中継基板４７３がある。これらの中継基板４７０、中継基板４７３については、この実施例では、前記カバー部材５０１の被覆対象外となっている。即ち、これらの中継基板４７０、中継基板４７３を覆いから外すように、即ち、その中継基板４７０に対しては、このカバー部材５０１の一部を凹ませた形状とし、その中継基板４７３については、中抜き形状（窓）として、そのカバー部材５０１の形状が採られている。
そして、上記中継基板４７０については、後に詳述する。
【０１２１】
上記カバー部材５０１は、球集合板４６０に対向する面が開放された概略横長で中空体（箱形）に形成され、その上端部にはほぼ矩形状の切欠部５１１が形成されている。この切欠部５１１は、球集合板４６０と第１制御基板ユニット２０１とを電気的に接続するスペースを確保するためのものである。
【０１２２】
上記カバー部材５０１の内部には、図１４に示すように、複数のリブ５１２が形成されている。このリブ５１２は、カバー部材５０１の補強の機能だけでなく、該カバー部材５０１の内部に不正基板を設置し得るスペースが形成されないようにするという機能も奏するものである。また、このリブ５１２は、球集合板４６０側に設けた電気部品等に接当しないように区画配置されると共にその高さが部分的に変えられている（リブの外縁面が同じレベルではない）。
【０１２３】
上記カバー部材５０１は透明樹脂よりなるものであり、これにより、内部での不正行為の有無等が外側から容易に視認することができ、したがって不正をより効果的に防止し得るようになっている。
【０１２４】
上記カバー部材５０１の一方端部には、上下１対の板状のブラケット５１３が突設されている。該ブラケット５１３の先端部には孔または切欠が形成されており、一方、前記球集合板４６０における前記開閉機構４１０形成側端部とは反対側の端部（図１４および図１６では右側端部）には、上下１対の軸４６２がそれぞれ上方に突出するように設けられており、この軸４６２に前記カバー部材５０１のブラケット５１３が挿通されている。これにより、上記カバー部材５０１は一方端部で軸４６２を中心として水平面上で回動可能に軸支され開閉可能となっている。即ち、該カバー部材５０１の開閉軸線はパチンコ機１０の背面からみて前記開閉機構４１０形成側端部の反対側（図１４および図１６の右側）で上下に延びるように設定されており、この開閉軸線を軸心にしてカバー部材５０１が後方側に十分に開放できるようになっている。
【０１２５】
前記第１第１制御基板ユニット２０１Ａは、図１３に示すように開閉機構４１０により該開閉機構４１０形成側端部（図１３では左側端部）で回動させて一方側へ（図１３では左方に）開放し得るようになっているが、上記のようなカバー部材５０１の支持構造とすることにより、該カバー部材５０１は図１４に示すように第１第１制御基板ユニット２０１Ａとは逆方向に（図１４では右方に）開放し得るようになっている。すなわち、該カバー部材５０１と第１第１制御基板ユニット２０１Ａとが、左右逆方向に開閉し得る構造、さらに具体的にいえば、左右から折り重ねるようにして閉じ得るとともに、その閉じた状態からそれぞれ左右に開放し得る構造となっている。
【０１２６】
上記カバー部材５０１の自由端部側（図９及び図１１では左端部側）およびこれに対応する球集合板４６０上の位置には、カバー部材５０１と球集合板４６０とを封止するための封止手段が設けられている。この封止手段は、第１封止部５２０Ａと第２封止部５２０Ｂとを有している。この第１封止部５２０Ａおよび第２封止部５２０Ｂについて以下順次説明する。
【０１２７】
図２１に示すように、第１封止部５２０Ａは、球集合板４６０に遊技盤３０側から挿通されてカバー部材５０１を球集合板４６０に固定する固定手段であるネジ５１９と、球集合板４６０の遊技盤３０側に設けられネジ５１９が挿通される孔を底板に有する凹部４６５と、カバー部材５０１に設けられネジ５１９が挿入され固定される挿入部５１４と、ネジ５１９による固定状態を解除するために挿入部５１４に設けられた切断部５１４Ａとから構成されている。
【０１２８】
カバー部材５０１の自由端において球集合板４６０に当接する上下２箇所のコーナー部からは、それぞれ、上下１組の方形状の延出片が、互いに平行となるように、水平に平伏した状態で、カバー部材５０１の長さ方向に沿って延出し、上下１組の延出片のうち内側に位置する延出片の先端部が外方に屈曲して外側の延出片に向かって延び、これら上下の延出片の先端部分が、カバー部材５０１の奥行方向に沿って延びる円筒状部を支持するような形状となるように、カバー部材５０１のコーナー部が成形されている。上記円筒状部の内部にはネジ溝が形成されてネジ５１９が螺入し得るようになっており、この円筒状部が挿入部５１４となっている。また、上記上下１組の方形状の延出片は、ネジ５１９による固定状態を保持するのに十分な強度を有するとともに、ニッパ等の適宜手段により容易に切断し得る肉厚を有するものとなっており、この延出片が切断部５１４Ａとなっている。
【０１２９】
一方、球集合板４６０において上記カバー部材５０１の上下のコーナー部に対応する位置にはそれぞれ、凹部４６５が設けられている。下側の凹部４６５は、球集合板４６０の取付面（遊技盤３０側面）から円形の平面形状をなして陥入し、その底板にはネジ挿通孔が穿設された構成となっている。上側の凹部４６５は、球集合板４６０の取付面（遊技盤３０側面）から、下側の一隅を部分円状に角落ちさせた概略方形状の平面形状をなして陥入し、その底板にはネジ挿通孔が穿設された構成となっている。上下の凹部４６５のネジ挿通孔にはそれぞれ、遊技盤３０側からネジ５１９が挿通され、該ネジ５１９の頭部が凹部４６５内に収容されるとともに、軸部が前記カバー部材５０１の挿入部５１４に螺合し、これによりカバー部材５０１の自由端部が球集合板４６０に固定されるようになっている。
【０１３０】
球集合板４６０が遊技盤３０に取り付けられた状態では、球集合板４６０の凹部４６５がネジ５１９のネジ頭を収容して遊技盤３０により閉塞された状態、すなわちネジ５１９のネジ頭が球集合板４６０と遊技盤３０との間に挟まれた状態となるため、外部からネジ５１９を取り外すことが不可能であり、これにより、カバー部材５０１と球集合板４６０とが封止されるようになっている。一方、たとえば球集合板４６０の裏側の点検などを目的としてカバー部材５０１を開放する場合には、前記切断部５１４Ａを切断することにより、カバー部材５０１と球集合板４６０との封止状態を外側から（パチンコ機１０の背面側から）、痕跡を残しながら解除することができる。
【０１３１】
なお、固定手段として、ネジにかえてナイラッチ等を用いるようにしてもよい。ナイラッチは、頭部から延出する軸部の先端部が径方向に拡張するように成形されたナイロン製の締結具であり、締結対象の部材に設けた孔部に押し込んで弾性的に係合させることにより当該部材を締結するものである。
【０１３２】
第２封止部５２０Ｂは、カバー部材５０１に背面側から挿通されてカバー部材５０１を球集合板４６０に固定する破断ネジ５２２と、カバー部材５０１に設けられ破断ネジ５２２が挿通される孔を底板に有する破断ネジ挿通部５１５、５１６と、球集合板４６０に設けられ破断ネジ５２２が螺入される螺入部４６３、４６４と、破断ネジ５２２による固定状態を解除するために破断ネジ挿通部５１５、５１６に設けられた切断部５１５Ａ、５１６Ａとから構成されている。
【０１３３】
カバー部材５０１の自由端は、高さ方向における中段をなす帯域部分が内側に陥入して、正面視概略コ字状の形状を有しており、その陥入部分の底板から、高さ方向に長く延びる概略直方体状の基台部５１５Ｂが外側（カバー部材５０１の自由端側）に突出し、さらに該基台部５１５Ｂの外側端面から、破断ネジ挿通部５１５が外側に突出した形状となっている。基台部５１５Ｂの外側端面の上端部および下端部からは、それぞれ、上下１組の方形状の延出片が、互いに平行となるように、水平に平伏した状態で、カバー部材５０１の長さ方向に沿って延出し、上下の延出片の先端部同士がたがいに近接し合う方向に円弧状に湾曲するように延びて接合し、正面視半円状の周壁部５１５Ｃが形成されている。この周壁部５１５Ｃを含む上下の延出片は全体として正面視Ｕ字状に形成され、その先端部分の内側における奥行方向中央付近には、奥行方向に対し垂直となるように、即ち例えば遊技盤３０の裏面に対し平行となるように、底壁５１５Ｄが設けられ、該底壁５１５Ｄにはネジ挿通孔（図示せず）が穿設されている。
【０１３４】
上記周壁部５１５Ｃを含む上下の延出片および底壁５１５Ｄにより、破断ネジ挿通部５１５が構成されている。上記上下の延出片は、前記第１封止部５２０Ａの切断部５１４Ａと同様に、十分な強度を有するとともに容易に切断し得る肉厚を有するものとなっており、また、前記底壁５１５Ｄは上下の延出片の先端部の間の空間のみを閉塞しこれより内側の脚部（立ち上がり部）の間の空間は閉塞しないように設けられていて、この脚部は奥行方向に貫通する形状となっている。このように構成されることにより、上記上下の延出片の脚部が第２封止部５２０Ｂの切断部５１５Ａとなっている。
【０１３５】
一方、図１６に示すように、球集合板４６０において上記上下の破断ネジ挿通部５１５に対応する位置にはそれぞれ、螺入部４６３が設けられている。上下の螺入部４６３は、球集合板４６０における前記支持体４１２挿通用の上下の開口部４６１の間の位置から、背面側（カバー部材５０１側）へ延出する円筒状に形成され、その内部にはネジ溝が設けられて破断ネジ５２２が螺入され得るようになっている。
【０１３６】
図２１に示すように、カバー部材５０１を閉じて球集合板４６０に当接させた状態では、破断ネジ挿通部５１５の周壁部５１５Ｃの球集合板４６０側端縁も球集合板４６０に当接し、螺入部４６３の全体が該周壁部５１５Ｃにより包囲されるようになっている。この状態で、破断ネジ５２２が破断ネジ挿通部５１５に背面側（カバー部材５０１側）から挿通されて螺入部４６３に螺入され、これによりカバー部材５０１が球集合板４６０に固定される。破断ネジ５２２は所定の高トルクで回転させることにより外側頭部５２２Ａと内側頭部５２２Ｂとの間で破断して外側頭部５２２Ａが分離し、内側頭部５２２Ｂが破断ネジ挿通部５１５の内部に収容された状態で残留する。この状態では、ドライバによって破断ネジ５２２を回転させることはできず、しかも内側頭部５２２Ｂは破断ネジ挿通部５１５の周壁部５１５Ｃで包囲されているため、痕跡を残さずに破断ネジ５２２を取り除くことは不可能である。これにより、カバー部材５０１と球集合板４６０とが封止された状態となる。一方、前記切断部５１５Ａを切断することにより、カバー部材５０１と球集合板４６０との封止状態を痕跡を残しながら解除することができる。
【０１３７】
カバー部材５０１の自由端は、前記したように中段をなす帯域部分が内側に陥入した正面視概略コ字状の形状を有しているが、その陥入部分を挟む上段および下段の突出部分の先端面には、それぞれ前記第１封止部５２０Ａが設けられている。さらに、下段の突出部分の先端面において、第１封止部５２０Ａの上方の位置に、破断ネジ挿通部５１６が設けられている。この破断ネジ挿通部５１６は、前記陥入部分の底板に設けられた破断ネジ挿通部５１５とほぼ同様の上下の延出片（周壁部を含む）および底壁を有する構成となっている。
【０１３８】
また、図１６に示すように、球集合板４６０において上記カバー部材５０１の下段の突出部分に設けられた破断ネジ挿通部５１６に対応する位置には螺入部４６４が設けられており、この螺入部４６４は前記螺入部４６３と同様に、背面側（カバー部材５０１側）へ延出する円筒状に形成され、その内部にはネジ溝が設けられて破断ネジ５２２が螺入され得るようになっている。本実施形態に示す第２封止部５２０Ｂは、カバー部材５０１の陥入部分の底板に設けられた上下の破断ネジ挿通部５１５および突出部分に設けられた破断ネジ挿通部５１６と、これら破断ネジ挿通部５１５、５１６にそれぞれ対応するように球集合板４６０に設けられた螺入部４６３、４６４と、破断ネジ挿通部５１５、５１６のそれぞれに設けられた切断部５１５Ａ、５１６Ａと、破断ネジ５２２とで構成され、高さ方向に並ぶ３点でカバー部材５０１と球集合板４６０との封止がなされ得るようになっている。
【０１３９】
上記カバー部材５０１の陥入部分の底板に設けられた上下の破断ネジ挿通部５１５は、図９および図１１に示すように、前記開閉機構４１０におけるブラケット４１３の上下の支持部４１３Ａの間に挟持されるような位置に形成され、これら支持部４１３Ａの間のスペースをほぼ閉塞し、第１第１制御基板ユニット２０１Ａを枢着する軸４１１であるリベットの頭部に近接している。
【０１４０】
図９乃至図１１ならびに図２２に示すように、上記カバー部材５０１の外側面（第１第１制御基板ユニット２０１Ａ側面）における固定端部（図９、図１１及び図２２では右側端部）には、先端に係止爪が形成された矩形状の係止片５１７が後方に（第１第１制御基板ユニット２０１Ａ側に）突出するように配設され、一方、第１第１制御基板ユニット２０１Ａの内側ケース８５の自由端部には、矩形状の突起部８５１が側方に（図２２では右方に）突出するように配設されており、図２３に示すように該係止片５１７が突起部８５１に弾性的に係止し得るようになっている。この係止片５１７は、カバー部材５０１に一体成型されている。
【０１４１】
また、上記カバー部材５０１の外側面における自由端部には、図１１に示すように、矩形状凹部５１８が形成されている。この矩形状凹部５１８は、前記連結取付台座部材４３０の長さ（約４８ｍｍ）および厚み（約１３ｍｍ）にそれぞれほぼ等しい長さ（カバー部材５０１の長手方向に沿った長さ）および深さを有し、図９に示すように、内部に連結取付台座部材４３０をほぼ隙間なく収容することができ、収容状態で該連結取付台座部材４３０の外側面（開放側面）とカバー部材５０１の外側面とが面一となるようになっている。これにより、第１第１制御基板ユニット２０１Ａとの間にできる限り間隙が形成されないようになっている。
【０１４２】
（カバー部材の一部変形例）
図２５に示すように、上記カバー部材５０１の内部に形成するリブの数を少なくするようにしてもよい。図２５に示す例では、リブの形成が前記実施例の場合よりも大幅に少なく、これに応じて区画された室数も少なくなっている。さらには、カバー部材５０１の内部にリブを形成せず、内部空間を区画しないようにしてもよく、あるいは、カバー部材の内部に適宜な材料を充填して内部空間を実質的になくすようにしてもよい。
【０１４３】
また、上記図２５に示す例では、カバー部材５０１内の壁面に、第２封止部５２０Ｂ用の破断ネジ５２２を収容する破断ネジ収容部５２１が、ここでは３個形成されており、そこに破断ネジ５２２がそれぞれ１本づつセットされるようになっている。これにより、カバー部材５０１の封止を解除して開放するごとに、破断ネジを１本ずつ取り出し第２封止部５２０Ｂの３箇所の破断ネジ挿通部５１５、５１６に挿通・螺合して次の封止を行うようにすることができ、未使用の破断ネジ５２２は封止した状態のカバー部材５０１の内部に確実に保持しておくことができる。この破断ネジ収容部５２１は、例えば、１本の破断ネジのみを収容する構成としてもよく、この場合にも、破断ネジを未使用の段階ではカバー部材の内部に保持しておくことができる。
【０１４４】
また、上記パチンコ機１０においては、カバー部材５０１の一方端部およびこれに対応する球集合板４６０の位置に、第１および第２封止部５２０Ａ、５２０Ｂで構成される封止手段を設けた構造としていたが、これと同様のまたは異なる封止手段を他方端部にも設け、これにより、カバー部材５０１の両端部を封止した状態で固定する構造とするようにしてもよい。この場合、前記カバー部材５０１の開閉構造（回動可能に軸支した構造）を設けた端部にさらに封止手段を設けるようにしてもよいが、両端部が封止手段により固定されるため、開閉構造は省略することができる。
【０１４５】
上記パチンコ機１０においては、遊技盤３０の裏面の球集合板４６０の裏面を覆うようにカバー部材５０１が設けられていることにより、球集合板４６０の裏面に配置された中継基板、配線等の電気部品を保護することができ、他の電気部品の組み付け、或いは外部からの他物の接触による電気部品の破損、断線が防止できるのである。
即ち、パチンコ機１０の組立てにおいては、例えば、球集合板４６０に中継基板、ＬＥＤ基板、スイッチ、配線等の電気部品を取り付け、この球集合板４６０にカバー部材５０１を取り付けてこれらをユニットとして構成し、このユニットを遊技盤３０に取り付け、この後第１制御基板ユニット２０１を取り付けるという工程にすると、作業性が良好となるが、このような場合に、電気部品も少なくとも一部がカバー部材５０１で覆われるようにすることで、電気部品がカバー部材５０１によって保護され、取り付け作業時に電気部品が破損されることが防止される。
【０１４６】
又、遊技盤３０の裏面と第１制御基板ユニット２０１との間の間隙が補填され、これによって、不正行為を行い得るようなスペースが形成されないようになっている。
さらに、このカバー部材５０１が封止手段５２０により封止した状態で固定されていることにより、不正に取り外すことが困難となっており、もしこの封止が不正に破られたとしても、痕跡が残るため、封止が破られたことが一目瞭然であり、これにより不正行為が容易に発覚する。
【０１４７】
さらに、封止手段が第１封止部５２０Ａと第２封止部５２０Ｂとを有し、第１封止部５２０Ａが、球集合板４６０に遊技盤３０側から挿通されてカバー部材５０１を球集合板４６０に固定する固定手段であるネジ５１９と、球集合板４６０の遊技盤３０側に設けられネジ５１９が挿通される孔を底板に有する凹部４６５と、カバー部材５０１に設けられネジ５１９が挿入され固定される挿入部５１４と、ネジ５１９による固定状態を解除するために挿入部５１４に設けられた切断部５１４Ａとから構成されているため、球集合板４６０が遊技盤３０に取り付けられた状態では外部からネジ５１９を取り外すことが不可能であり、これにより、カバー部材５０１が封止した状態で固定され、これを痕跡を残すことなく不正に取り外そうとすると球集合板４６０を遊技盤３０から取り外すことが必要となり、したがって不正行為を行うことが困難となっている。一方、たとえば球集合板４６０の裏側の点検などを目的としてカバー部材５０１を開放する場合に、切断部５１４Ａを切断することによって痕跡を残しながらカバー部材５０１の封止状態を解除することができる。また、球集合板４６０が遊技盤３０に取り付けられていない状態ではカバー部材５０１を自在に開放し得るため、作業性が良好である。
【０１４８】
さらに、第２封止部５２０Ｂが、カバー部材５０１に背面側から挿通されてカバー部材５０１を球集合板４６０に固定する破断ネジ５２２と、カバー部材５０１に設けられ破断ネジ５２２が挿通される孔を底板に有する破断ネジ挿通部５１５、５１６と、球集合板４６０に設けられ破断ネジ５２２が螺入される螺入部４６３、４６４と、破断ネジ５２２による固定状態を解除するために破断ネジ挿通部５１５、５１６に設けられた切断部５１５Ａ、５１６Ａとから構成されているため、カバー部材５０１を破断ネジ５２２により球集合板４６０に外側から固定することができ、これにより、容易にカバー部材５０１を封止した状態で固定することができる。このとき、前記球集合板４６０が遊技盤３０に取り付けられた状態であっても、カバー部材５０１を破断ネジ５２２により球集合板４６０に外側から封止・固定することができるので、たとえば前記第１封止部５２０Ａによる封止状態を解除した後に、第２封止部５２０Ｂによって再度カバー部材５０１と球集合板４６０とを封止することができる。一方、たとえば球集合板４６０の裏側の点検などを目的としてカバー部材５０１を開放する場合には、切断部５１５Ａ、５１６Ａを切断することによって痕跡を残しながらカバー部材５０１の封止状態を解除することができる。
【０１４９】
さらに、第１制御基板ユニット２０１の一方端部が軸４１１により回動可能に枢着され、破断ネジ挿通部５１５が、第１制御基板ユニット２０１を枢着する軸４１１に近接していることにより、第１制御基板ユニット２０１を枢着部分から不正に取り外そうとしても、破断ネジ挿通部５１５が障害となって枢着部分を取り外すことが困難となっており、またカバー部材５０１は封止した状態で固定されているため、破断ネジ挿通部５１５を取り除こうとしても痕跡を残さずにこれを取り除くことは困難となっている。したがって不正行為がさらに効果的に防止される。
【０１５０】
さらに、カバー部材５０１の内部に、第２封止部５２０Ｂ用の破断ネジ５２２を１本またはそれ以上収容する破断ネジ収容部５２１が配設されていることにより、破断ネジ収容部５２１に破断ネジ５２２を収容しておくようにすれば、カバー部材５０１の封止を解除して開放するごとに、破断ネジ５２２を１本ずつ取り出して次の封止を第２封止部５２０Ｂで行うようにすることができ、未使用の破断ネジ５２２がある段階ではこれを封止した状態のカバー部材５０１の内部に確実に保持しておくことができる。
【０１５１】
さらに、カバー部材５０１のコーナー部に第１封止部５２０Ａが設けられ、コーナー部以外に第２封止部５２０Ｂが設けられていることにより、第１封止部５２０Ａによってカバー部材５０１をコーナー部で容易かつ確実に封止することができるとともに、このカバー部材５０１の封止を第２封止部５２０Ｂによってさらに確実に行うことができる。また、複数個所に第１および第２封止部が設けられているので、封止および解除を行う行程の１回につき１箇所ずつで封止および解除を行うようにすれば、封止および解除の行程を複数回行うことができ、その行程ごとに開封履歴を残すことができる。
【０１５２】
さらに、カバー部材５０１が中空体に成形され、内部がリブ５１２により多数の室に区画された構成としたことによって、カバー部材５０１の内部に不正基板を設置するのに十分なスペースが形成されておらず、したがって不正行為を効果的に防止することができる。
【０１５３】
さらに、カバー部材５０１が、球集合板４６０に対向する面が開放された構成としたことにより、カバー部材５０１を閉じた状態では上記開放された面も球集合板４６０に当接して閉塞されるため、カバー部材５０１の内部に不正基板を設置する等の不正行為は困難となっている。このとき、前記したようにカバー部材５０１の内部がリブ５１２により多数の室に区画されていても、カバー部材５０１の開放部分が外部に露出しておればそこからリブ５１２を切断して不正行為のためのスペースを確保されるおそれがあるが、上記のようにカバー部材５０１の開放面を球集合板４６０に対向させることにより、リブ５１２を切断することも困難となっている。
【０１５４】
さらに、カバー部材５０１と第１制御基板ユニット２０１とが、たがいに左右逆方向に開閉される開閉構造を有する構成としたことにより、カバー部材５０１および第１制御基板ユニット２０１のそれぞれを開放した状態における荷重が左右いずれか一方の端部に集中せず、左右両端部に分散することとなる。よって、たとえば点検などに際してカバー部材５０１および第１制御基板ユニット２０１を開放する場合等に、これらカバー部材５０１および第１制御基板ユニット２０１の荷重により球集合板４６０に変形が生じるといった不具合が防止される。球集合板４６０に変形が生じると、遊技球の排出に不具合をきたすおそれがある。
【０１５５】
さらに、第１制御基板ユニット２０１の一方端部が軸４１１により回動可能に枢着され、カバー部材５０１に、第１制御基板ユニット２０１の他方端部（自由端部）に係止する係止片が一体成型された構成としたことにより、第１制御基板ユニット２０１の自由端部を保持するための部材（例えばナイラッチ等）を別に用意する必要がなく、部品点数を少なくすることができる。また、カバー部材５０１が不正に取り外されたとした場合、第１制御基板ユニット２０１の自由端部が保持されずに遊離した状態となるため、不正行為が容易に発覚することとなり、したがって不正を行うことがより困難となる。
【０１５６】
また、パチンコ機１０の組み立てにおいては、例えば、球集合板４６０に中継基板、ＬＥＤ基板、スイッチ、配線等の電気部品を取り付け、この球集合板４６０にカバー部材５０１を取り付けてこれらをユニットとして構成し、このユニットを遊技盤３０に取り付け、この後第１制御基板ユニット２０１を取り付けるという工程にすると作業性が良好となるが、このような場合に、電気部品の少なくとも一部がカバー部材５０１で覆われるようにすることで、電気部品がカバー部材５０１によって保護され、取り付け作業時に電気部品が破損されることが防止される。
なお、図２３には、球集合板４６０にカバー部材５０１および第１制御基板ユニット２０１を取り付けた状態が示されており、このように、球集合板４６０、カバー部材５０１および第１制御基板ユニット２０１を一体とした状態で遊技盤３０に取り付けるという工程も可能であり、パチンコ機１０の組み立て方法は特定のものに限定されないが、前記のように球集合板４６０およびカバー部材５０１をユニットとして遊技盤３０に取り付けた後に第１制御基板ユニット２０１を取り付けるという工程がとりわけ作業性が良好である。
【０１５７】
（特徴構成）
次に、上記中継基板４７０と取付台座４７５の構成について、図２６乃至図３１に基づいて詳述する。
この遊技機は、基板ユニット２０１に収容された主制御基板（図外）と、取付台座４７５に取り付けられた中継基板４７０とを遊技盤３０の裏面側に配置している。
この中継基板４７０は、第１制御基板ユニット２０１からの入力を、大入賞口作動のための中継とし、また一部の電飾に中継し、また、入球を検知するセンサの出力を中継しており、払い出し用中継基板と呼称することもある（他に、音声用中継基板を呼称されるもの等もある）。
そして、後に詳述するが、前記中継基板４７０を前記取付台座４７５に対して、一旦封止が行われた後は解除痕跡を残すことなく封止解除が不能な封止部材４８８、即ち、ここでは破断ネジにより封止してある。この破断ネジについては後に言及する。
【０１５８】
前記中継基板４７０は、図２６、図２８等に示すように、平面視で略矩形状を成す平板状体であり、前記取付台座４７５は、ここでは、その矩形の長辺の一側部分（略中間位置）において僅かに内側に凹んだ形状の凹部４９３に構成されている。そして、前記中継基板４７０は、取付台座４７５に設けられる。
この取付台座４７５は、平面視で矩形状をなし、上記中継基板４７０の矩形状に対応する形状とされ、そのサイズは、非常に緊密な状態での中継基板４７０の嵌め込みが成されるように、精密に設計されている。
【０１５９】
また、取付台座４７５には、前記中継基板４７０を収容する凹みが、形成されている。因みに、ここでは、その長辺が１３８ｍｍ、短辺が３７ｍｍ、厚みが約１ｍｍ、前記凹みが約１０ｍｍである。そして、上面が開放された略箱形状に構成されており、更に、遊技盤３０に取り付けられる脚部５０６を備え、正面視では門型をなし、上部に、前記凹部の底板４７６を有し、全体としては、合成樹脂の射出成形により成型されている。そして、脚部５０６は、その背面視で分かるように、板体で形成されるが、その両側部が短い側壁を有する変形コの字を呈する形状に構成されており、強度が出るようにされている。
【０１６０】
上記取付台座４７５は、前記中継基板４７０の外側面に沿って壁体４７６を備えており、この壁体４７６は、対向する長辺側壁体４７６Ａと、対向する短辺側壁体４７６Ｂとから成り、前記中継基板４７０の外側面よりも外側に延設され、上述した凹みの取付台座４７５の凹部４９３を形成している。換言すると、前記中継基板４７０が取付台座４７５の凹部４９３の内側に嵌まり込む状態とされることを意味する。因みに、この実施例では、その延設部は、約３ｍｍである。
【０１６１】
前記取付台座４７５の短辺側の壁体４７６Ｂの下方に延びる左右の脚部５０６には、ネジ止め部４８５が横方向に延設されており、ここにネジを通して遊技盤３０（球集合板４６０）に羅着される。
【０１６２】
次に、上記封止部材４８８について詳述する。
この封止部材４８８は、ここでは、図１５に基づいて説明した、上述の破断ネジＫと同じ構造の破断ネジの小型のものが用いられている。即ち、この破断ネジＫは、既述の通り、螺合させて締結（本締め）するのに必要な程度のトルクで回転させて締結した後、さらに大きい所定の高トルクで回転させると、その頭部が破断する破断部を備えるネジである。
この破断ネジＫが、前記中継基板４７０の４隅を貫通して、取付台座４７５である前記台座４７５のネジ孔ボス部４８４に羅合され、固定される。一旦、羅着がなされ、その頭部が破断されると、再びこの破断ネジＫをドライバで外すことは出来ない。
【０１６３】
上記封止部材４８８として、破断ネジＫに代え、封止ピン、例えば、図９において示す封印部材８７の構造のものを用い得るが、その他に、図３９（Ａ）乃至（Ｅ）に示す構造の封止ピン４８７を用いてよい。この封止部ピン４８７は、座屈容易な円筒状体４８７Ａとネジ４８７Ｂとから構成され、その円筒状体４８７Ａが中継基板４７０の４隅を貫通して、取付台座４７５のネジ孔ボス部４８４Ａ（板状体）の孔４８４Ｂの挿通され（図３９Ａ）、しかる後にネジ４８７Ｂが羅合され（図３９Ｂ）、羅合終了時に更に回動を続けることで（図３９Ｄ）、円筒状体４８７の下端部を引きつけ、座屈させることによりカシメ部分４８７Ｃを形成し（図３９Ｅ）、中継基板４７０と取付台座４７５のネジ孔ボス部４８４Ａの座屈を用いるので、一旦連結が行われると、解除不能となる。
【０１６４】
その他、前記取付台座４７５を構成する取付台座４７５を、そのネジ止め部４８５を介して遊技盤３０に対して、一旦封止が行われた後は解除痕跡を残すことなく封止解除が不能な封止部材４８８により封止してもよい。
また、前記取付台座４７５と球集合板４６０とが一体化されている構造のものであっても、実施可能である。
【０１６５】
（特徴構成）
次いで、中継基板４７０と取付台座４７５について更に詳しく述べる。
前記取付台座４７５には、前記中継基板４７０の長手方向一端側が係合される係合部４９０が形成され、該中継基盤４７０の長手方向他端側を前記取付台座４７５に対して挟持する状態で封止する封止部４９１が設けられ、該封止部４９１に封止部材４８８、即ち、破断ネジが用いられて、一旦封止が行われた後は解除痕跡を残すことなく封止解除が不能となるように封止することができるように構成されている。
【０１６６】
そして、前記中継基板４７０には、その上面に複数のコネクタ接続部が設けられ、ここでは、コネクタ接続部４８２Ａは、一般入賞言口の検出信号を主制御基板に出力し、大入賞口への入賞検出信号を主制御基板に入力するハーネスのコネクタが接続されるものであり、コネクタ接続部４８２Ｂは、大入賞口の検出信号を該中継基板４７０に入力し、大入賞口の開閉を行う信号を出力するためのハーネスのコネクタが接続されるものであり、コネクタ接続部４８２Ｃ、４８２Ｄ、４８２Ｅ、４８２Ｆの４個は、４個の一般入賞口からの検出信号を該中継基板４７０に入力するためのハーネスのコネクタが接続されるものであり、コネクタ接続部４８２Ｅは、始動入賞口の羽根を開閉する信号を出力するためのハーネスのコネクタを接続するためのものである。
【０１６７】
上述のように、前記封止部材４８８が破断ネジＫであり、前記封止部４９１が、ネジ孔４９２Ａを備えた押さえ部材４９２と、前記取付台座４７５に設けられ、前記ネジ孔４９２Ａに対応するネジ孔４８４Ａを備えたネジ孔ボス部４８４とから構成されている。それらネジ孔４８４Ａとネジ孔４９２Ａとに封止部材４８８の破断ネジＫを相通することによって前記中継基板４７０が取付台座４７５に挟持されるように構成されているのである。ここでは、前記中継基板４７０に対応するネジ孔４７０Ａが穿孔されているが、この孔は無くてもよい。
【０１６８】
更に、前記取付台座４７５は、設置される前記中継基板４７０の外側面に沿って該中継基板４７０を囲う壁体４７６、即ち、対向する長辺側壁体４７６Ａと、対向する短辺側壁体４７６Ｂを有している。そして、前記押さえ部材４９２が、前記中継基板４７０を囲う前記壁体４７６（長辺側壁体４７６Ａと短辺側壁体４７６Ｂ）により形成された取付台座４７５の凹部４９３に収まる大きさに構成されているのである。因みに、この押さえ部材４９２のサイズは、長さ３２ｍｍ、幅１３ｍｍ、高さ８ｍｍである。
このように構成することで、押さえ部材４９２は壁体４７６の内側に収まり、外部から取り外しを試みようとするとき、凹部４９３から突出している場合に比べて、冶具等の取っ掛かりが得難く、不正防止に役立つ。更に、この実施例図面（図２７他）とは異なるが、好ましくは、前記押さえ部４９２の上面が、前記凹部４９３よりも低い位置に位置して、段差がつくように構成されていれば、外方からのアタックを防ぐのに更に効果的である。
【０１６９】
その他、前記取付台座４７５を構成する取付台座４７５を、そのネジ止め部４８５を介して遊技盤３０又は球集合板４６０に対して、一旦封止が行われた後は解除痕跡を残すことなく封止解除が不能となるように封止部材４８８により封止してもよい。
また、前記取付台座４７５と球集合板４６０とが一体化されている構造のものであっても、実施可能である。
【０１７０】
また、前記押さえ部材４９２は、その外郭に沿って補強リブ４９２Ａを備えており、該補強リブ４９２Ａに一体化する状態で内接してネジ孔を囲繞するネジ孔用リブ４９２Ｂが設けられている。このように、押さえ部材４９２の外郭に沿って補強リブ４９２Ａを備えることで、この押さえ部材４９２の強度の向上を図ることができると共にネジ孔を囲繞するネジ孔用リブ４９２Ｂをこの補強リブ４９２Ａに内接させることで、更に、強度を増すことができる。
勿論、このネジ孔用リブ４９２Ｂは、本来、破断ネジＫを用いたときに、捻じ切れたネジの頭部を隠し、冶具等で容易にネジが把持されないようにするための機能を発揮するものであることは言までもない。
【０１７１】
更に、前記押さえ部材４９２は、前記取付台座４７５の中継基板４７０を囲う壁体の少なくとも隣接する又は対抗する２面に内接するように設けられている。即ち、この実施例では、対向する長辺側壁体４７６Ａの二つの壁体としている。しかし、一つの長辺側壁体４７６Ａと、一つの短辺側壁体４７６Ｂとに内接するようにしても、押さえ部材４９２の回動阻止の機能は発揮できる。
【０１７２】
このように、押さえ部材４９２が中継基板４７０を囲う壁体の近接する又は対抗する２面に内接することで、封止部材４８８である破断ネジＫで封止が行われた後で、不正行為として、この破断ネジＫの締め付け力に抗して、この押さえ部材４９２自体を、回動させようとしても、この押さえ部材４９２が前記２面の壁体（長辺側壁体４７６Ａの二つの壁体）に接当してその動きを阻止されることになり、押さえ部材４９２を可動させるところからの不正を阻止できるのである。
尚、この実施例においては、前記押さえ部材４９２は、矩形であり、且つ、矩形の取付台座４７５の端部の内側に位置されて、その３面の壁体、即ち、長辺側の２面（対向する２面）の長辺側壁体４７６Ａと、一側の短辺の１面（隣接する１面）の短辺側壁体４７６Ｂに接当するものであるが、一側の長辺と、隣接する短辺との２面で接当する形態或いは２側の長辺で接当する形態が採られてもよいことは言うまでもない。
【０１７３】
また、前記取付台座４７５の底板４７８には、前記押さえ部材４９２の幅に対応して支持リブ４９４が立設され、該支持リブ４９４が前記ネジ孔ボス部４８４と実質的に同じ高さで、且つ、このネジ孔ボス部４８４よりも前記凹部４９３の内側に位置して近接して設けられている。
この構造は、取付台座４７５の底板４７８に支持リブ４９４を立設することと、該支持リブ４９４が前記ネジ孔ボス部４８４と実質的に同じ高さに形成されていることで、前記押さえ部材４９２により前記中継基板４７０を前記支持リブ４９４と前記ボス部４９４との２箇所により強固に挟持できる。勿論、この押さえ部材４９２の本体自体による押さえ作用による挟持作用は発揮されるが、前記構造によって、その挟持力がより確実に中継基板４７０に伝達されることになる。また、この支持リブ４９４が、ネジ孔ボス部４８４よりも前記凹部４９３の内側に位置して近接して設けられていることで、中継基板４７０を前記ボス部４９４とこの支持リブ４９４とで強固に支持させることができて、この中継基板４７０を、前記凹部４９３の内側において上方から押圧して撓ませ、中継基板４７０と押さえ部材４９２との間に冶具を挿入しようとする如き不正を未然に回避させることができる。
【０１７４】
そして、前記取付台座４７５のネジ孔ボス部４８４は、図２８、図３１に示すように、切断部４９５を介して該取付台座４７５の裏面側に設けられており、該切断部４９５を切断することで前記ボス部が取付台座から分離されるように構成されている。この切断部４９５は、この実施例では、前記底板４７８にボス孔４９６を開け、該底板４７８の裏面側で、このボス孔４９６の周囲３ヶ所に薄肉の支持片４９５Ａを夫々敷設し、これら支持片４９５Ａで前記ネジ孔ボス部４８４を支持させ、これら支持片４９５Ａを切断することで、前記ネジ孔ボス部４８４を取付台座４７５から分離できるようにしている。しかし、かかる切断部４９５の構造については、適宜設計変更できるものである。
【０１７５】
このように構成することで、この中継基板４７０及び取付台座４７５を廃棄する際に、リサイクルとして、中継基板４７０から封止部材である破断ネジＫを取り外さなければならないところ、前記切断部４９５を切断することで、先ず、中継基板４７０と押さえ部材４９２とを取付台座４７５から分離させることができ、次いで、容易に破断ネジＫを外すことができるというわけである。そして、前記切断部４９５が取付台座４７５の裏面側に設けられているので、外側から（遊技盤３０の裏面側から）は容易に切断部４９５に工具を作用させることができ難いのであり、不正な切断を未然に回避できるのである。
【０１７６】
また、前記中継基板４７０の長手方向一端側が係合される係合部４９０が、前記取付台座４７５の底板４７８から、その短辺方向と平行で、前記支持リブ４９４と同じ高さに立設された立壁４９７と、該取付台座４７５の短辺側の壁体４７６Ｂから前記立壁４９７の上面よりも前記中継基板４７０の厚み分だけ上方に変移した位置で、前記凹部４９３内側に向けて、且つ、平面視、前記立壁４９７の位置に所定の距離（平面視約２ｍｍ）を離した長さで延設された横壁４９８とから構成されている。
この構造により、中継基板４７０の一端部を、前記立壁４９７の上面と横壁４９８との間のスペースに、上方から差し込むようにして簡単に取付台座４７５に係合させることができる。この状態で、中継基板４７０の他端を上述した封止部材の破断ネジＫで封止するのである。尚、この実施例では、前記横壁４９８の下方には底板４７８がなく、底板４７８が途中までで、その先に立壁４９７が設けられており、中継基板４７０がセットされていない状態では、平面視で見たとき、前記立壁４９７の上面と横壁４９８との間から下方が抜けて見える構造であるが、この底板４７８を、その取付台座４７５の全長に渡って設け、その所定位置に前記立壁４９７を立設するようにしてもよい。
【０１７７】
（押さえ部材変形例）
図３２乃至図３８に基づいて説明する。この説明に際しては、上記実施例に対応する部材には同じ部材番号を付しており、その説明を省略しているものもある。
基本的構成については、上述の実施例と実施的に同じであるが、ここでは、概略すると、押さえ部材４９２の構造と係合突片４９９及び係止部５００を備えている点が大きく異なるのである。即ち、前記押さえ部材４９２には、前記取付台座４７５の中継基板４７０を囲う壁体４９７の、対向する長辺側の２つの壁体、即ち、二つの長辺側壁体４７６Ａを保持する保持部５０２が備えられている。この保持部５０２は要部断面が溝型に形成されている。
このように、押さえ部材４９２に保持部５０２を設けることで、封止したときに、この押さえ部材４９２によって、前記取付台座４７５の２つの壁体である二つの長辺側壁体４７６Ａを保持することができ、その結果、中継基板４７０を取り出すべく取付台座４７５の壁体４７６を撓ませようとしても、これを阻止できるのである。
【０１７８】
そして、前記保持部５０２が、前記取付台座４７５の短辺側の壁体４７６Ｂの外側に接当する短辺側支持壁５０２Ａを備え、該短辺側支持壁５０２Ａの両側部は、前記取付台座４７５の長辺側の壁体である長辺側壁体４７６Ａに接当する長辺側支持壁５０２Ｂに繋がっており、これら短辺側支持壁５０２Ａと長辺側支持壁５０２Ｂが前記取付台座４７５の壁体４７６（長辺側壁体４７６及び短辺側壁体４７６Ｂ）の高さよりも長く構成されている。
このように、前記保持部５０２が前記取付台座４７５の長辺側壁体４７６Ａを保持するだけでなく、前記取付台座４７５の壁体４７６の高さよりも長く構成された短辺側支持壁５０２Ａと長辺側支持壁５０２Ｂとで取付台座４７５の各壁体４７６に接当することになって、封止後において、その保持状態を強固に支持できるのである。
【０１７９】
また、前記短辺側支持壁５０２Ｂの下端には、上記係合突片４９９設けられており、他方、前記取付台座４７５には、該係合突片５０３に係合する係止部５００が設けられ、前記封止部材の破断ネジＫより中継基板４７０が封止されたときに、前記係合突片４９９が前記係止部５００に係合された状態となるように構成されている。
この構造について詳述すると、前記係合部５００は、前記取付台座４７５の脚部５０６に外方に突出する膨出部５０４が形成され、該膨出部５０４の上面壁５０４Ａの一部に、該取付台座４７５の短辺側壁体４７６Ｂに平行なスリット５０５を形成することにより、該スリット５０５と前記膨出部５０４の上面壁５０４Ａとで構成されている。
【０１８０】
このように前記係合部５００を、前記取付台座４７５の脚部５０６の一部変形でもって構成することで、格別の部材を必要とすることなく一部構造変更だけで実施できる。
そして、前記係合突片５０３と係合部５００との係合によって、前記押さえ部材４９２は、その破断ネジＫによる封止に際して、その保持部５０２の短辺側支持壁４７６Ｂの下端において、前記取付台座４７５に係止されることになり、結果として、この押さえ部材４９２は、前記ボス部４８４から離れた位置においても位置固定されることとなって、安定的に封止が行われることになり、また、前記短辺側支持壁４７６Ｂと長辺側支持壁４７６Ａに作用して押さえ部材４９２を外そうとしても、これら短辺側支持壁４７６Ｂと長辺側支持壁４７６Ｂとが、前記係合突片４９９と係合部５００とで係止されていることで、容易に変位させられることがなく、一層、不正防止を果たすことが出来る。
【０１８１】
以上のように、上記中継基板を取付台座に対して、一旦封止が行われた後は解除痕跡を残すことなく封止解除が不能な封止部により封止したことにより、容易に取付台座から外せなくなると共に万一取り外し出来たとしてもその痕跡が残るので、不正基板の設置或いは不正配線を未然に回避することができる。
そして、前記中継基板自体は、従来のようにネジで取付台座に取り付けられるのではなく、その一端が係合部において係止状態とされ、他端が封止部において挟持されているだけであるので、その取り付けを簡単に行い得るのである。
特に、中継基板は、主制御基板と複数の各種電気部品とを接続するための重要な構成要素であり、そこには元来配線が集中するところから、不正基板等の敷設がなされても容易に発見し難いという状況があるところ、本発明によれば、中継基板の取付台座に対する封止により、他の不正基板の敷設を不能にすることができるのである。
【０１８２】
本発明を上記実施例とは異なるパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球が入賞されることを条件として特別遊技状態となるパチンコ機として実施してもよい。さらに、パチンコ機以外にも、アレンジボール型パチンコ、雀球、いわゆるパチンコ機とスロットマシンとが融合したパチンコ機等の各種遊技機として実施するようにしてもよい。
なお、スロットマシンは、例えば、コインを投入して図柄有効ラインを決定させた状態で操作レバーを操作することにより図柄が変動され、ストップボタンを操作することにより図柄が停止されて確定されるものである。従って、スロットマシンの基本概念としては、「複数の図柄からなる図柄列を変動表示した後に図柄を確定表示する可変表示手段を備え、始動用操作手段（例えばストップボタン）の操作に起因して、あるいは、所定時間経過することにより、図柄の変動が停止され、その停止時の確定図柄が、特定図柄であることを必要条件として、遊技者に有利な特別遊技状態を発生させる特別遊技状態発生手段とを備えたスロットマシン」となり、この場合、遊技媒体はコイン、メダル等が代表例として挙げられる。
パチンコ機とスロットマシンとが融合した遊技機の具体例としては、複数の図柄からなる図柄表示列を変動表示した後に図柄を確定表示する可変表示手段を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０１８３】
本発明は、中継基板を備えた遊技機であれば、各種のタイプに適宜実施可能であり、その適用範囲は広いものである。
【符号の説明】
【０１８４】
２０１  ：第１制御基板ユニット
２０１Ａ：第１基板ケース
３０  ：遊技盤
４７０  ：中継基板
４７４  ：取付部
４７５  ：取付台座
４８８  ：封止部材
４９１  ：封止部
４９２  ：押さえ部材
５００  ：係合部
【図１】
0005773172.tif 000002
【図２】
0005773172.tif 000003
【図３】
0005773172.tif 000004
【図４】
0005773172.tif 000005
【図５】
0005773172.tif 000006
【図６】
0005773172.tif 000007
【図７】
0005773172.tif 000008
【図８】
0005773172.tif 000009
【図９】
0005773172.tif 000010
【図１０】
0005773172.tif 000011
【図１１】
0005773172.tif 000012
【図１２】
0005773172.tif 000013
【図１３】
0005773172.tif 000014
【図１４】
0005773172.tif 000015
【図１５】
0005773172.tif 000016
【図１６】
0005773172.tif 000017
【図１７】
0005773172.tif 000018
【図１８】
0005773172.tif 000019
【図１９】
0005773172.tif 000020
【図２０】
0005773172.tif 000021
【図２１】
0005773172.tif 000022
【図２２】
0005773172.tif 000023
【図２３】
0005773172.tif 000024
【図２４】
0005773172.tif 000025
【図２５】
0005773172.tif 000026
【図２６】
0005773172.tif 000027
【図２７】
0005773172.tif 000028
【図２８】
0005773172.tif 000029
【図２９】
0005773172.tif 000030
【図３０】
0005773172.tif 000031
【図３１】
0005773172.tif 000032
【図３２】
0005773172.tif 000033
【図３３】
0005773172.tif 000034
【図３４】
0005773172.tif 000035
【図３５】
0005773172.tif 000036
【図３６】
0005773172.tif 000037
【図３７】
0005773172.tif 000038
【図３８】
0005773172.tif 000039
【図３９】
0005773172.tif 000040
【図４０】
0005773172.tif 000041